(57)【特許請求の範囲】
【請求項１】
被検者の血清、血漿、及び血液からなる群から選ばれる試料中のセリン及びアラニンの少なくとも１のアミノ酸の立体異性体の量を測定するステップと、
D-セリン及びD-アラニンの少なくとも１の立体異性体の量の測定値と、健常者及び/又は腎臓がん患者における血清、血漿、及び血液からなる群から選ばれる試料中の前記立体異性体の量から予め設定された基準値とを比較するステップ、
とを含むことを特徴とする、腎臓がんを決定するためのサンプル分析方法。
【請求項２】
前記比較ステップにおいて、被検者の立体異性体の量の測定値及び健常者の立体異性体の量の基準値を判別式：
病態指標値＝（前記被検者の立体異性体の量の測定値）／（前記健常者の立体異性体の量の基準値）、又は
病態指標値＝［（前記被検者の立体異性体の量の測定値）／｛（前記被検者の立体異性体の量の測定値）＋（前記被検者の立体異性体のエナンチオマーの量の測定値）｝］÷［（健常者の立体異性体の量の基準値）／｛（前記健常者の立体異性体の量の基準値）＋（前記健常者の立体異性体のエナンチオマーの量の基準値）｝］
に代入して病態指標値を取得し、
当該病態指標値が、所定の閾値を超えるか否かを判定するステップとを含む、請求項１に記載のサンプル分析方法。
【請求項３】
前記判定するステップにおいて、所定の閾値が２．０であることを特徴とする、請求項２に記載のサンプル分析方法。
【請求項４】
被検者の血清、血漿、及び血液からなる群から選ばれる試料中のセリン及びアラニンの少なくとも１のアミノ酸立体異性体を分離・定量する手段と、
D-セリン及びD-アラニンの少なくとも１の立体異性体の量の測定値と、健常者及び／又は腎臓がん患者における血清、血漿、及び血液からなる群から選ばれる試料中の前記アミノ酸の立体異性体の量から予め設定された基準値とに基づいて腎臓がんについての病態情報を出力する手段とを含むことを特徴とする、腎臓がんを判定するための疾患サンプル分析装置。
【請求項５】
前記疾患サンプル分析装置が、被検者の立体異性体の量の測定値及び健常者の立体異性体の量の基準値を判別式：
病態指標値＝（前記被検者の立体異性体の量の測定値）／（前記健常者の立体異性体の量の基準値）、又は
病態指標値＝［（前記被検者の立体異性体の量の測定値）／｛（前記被検者の立体異性体の量の測定値）＋（前記被検者の立体異性体のエナンチオマーの量の測定値）｝］÷［（前記健常者の立体異性体の量の基準値）／｛（前記健常者の立体異性体の量の基準値）＋（前記健常者の立体異性体のエナンチオマーの量の基準値）｝］に代入して病態指標値を取得する手段をさらに含み、
ここで、前記病態情報を出力する手段が、当該病態指標値に基づいて前記被験者の腎臓がんについての病態情報を出力する、請求項４に記載の疾患サンプル分析装置。
【請求項６】
前記病態情報を出力する手段が、前記病態指標値が２．０又はこれ以上のとき、前記被検者は腎臓がんに罹患しているとの前記被検者の病態情報を出力する手段であることを特徴とする、請求項５に記載の疾患サンプル分析装置。
【発明の詳細な説明】
【技術分野】
【０００１】
本発明は、アミノ酸の立体異性体を区別した定量法に基づく疾患サンプル分析装置、分析システム及び分析方法に関する。具体的には、被検者の生物学的材料のアミノ酸立体異性体を分離・定量する手段と、該アミノ酸立体異性体の定量値を判別式に代入して計算し、病態指標値を得る手段と、前記病態指標値に基づいて前記被検者の病態情報を出力する手段とを含む疾患サンプル分析装置と、被検者の生物学的材料のアミノ酸立体異性体を分離・定量する定量分析部と、該アミノ酸立体異性体の定量値を判別式に代入して計算し、病態指標値を得る病態指標値演算部と、前記病態指標値に基づいて前記被検者の病態情報を出力する病態情報出力部とを含む疾患サンプル分析システムと、被検者の生物学的材料のアミノ酸立体異性体を分離・定量するステップと、該アミノ酸立体異性体の定量値を判別式に代入して計算し、病態指標値を得るステップと、前記病態指標値に基づいて前記被検者の病態情報を得るステップとを含む疾患サンプル分析方法とに関する。
【背景技術】
【０００２】
グリシン以外の全てのアミノ酸にはＤ−体とＬ−体という２種類の立体異性体が存在する。Ｌ−アミノ酸は生物のタンパク質の構成要素であり、タンパク質に含まれるアミノ酸は原則的にＬ−アミノ酸である。これに対してＤ−アミノ酸は下等生物の一部の生理活性ペプチドに含まれるが、その多くは翻訳後修飾のプロセスを経て生合成される。そこで、タンパク質又はペプチドを構成するアミノ酸は主にＬ−アミノ酸であり、Ｄ−アミノ酸は例外的な存在である。
【０００３】
Ｄ−アミノ酸は細菌の細胞壁のペプチドグリカンの構成成分の１つである。また、ペプチドを構成しない遊離のＤ−アミノ酸については、水棲動物や昆虫などの下等な動物において存在することは以前から報告されていた。しかし、高等動物に存在するアミノ酸はＬ体であって、Ｄ体は生理活動に関与しないと信じられていた時代があった（非特許文献１）。
【０００４】
しかし、ヒトを含む哺乳類におけるＤ−アミノ酸の存在とその役割については、近年の分析技術の進歩による分解能・感度の向上に伴いようやく明らかになってきた（非特許文献２）。Ｄ−アスパラギン酸は抗Ｄ−アスパラギン酸抗体を用いた二重染色法などにより、ラット下垂体においてプロラクチン産生細胞に局在することが明らかになった。また、ラット下垂体由来の細胞株でプロラクチンを合成、分泌する細胞にＤ−アスパラギン酸を与えることによりプロラクチン分泌が用量依存的に増加した。以上のことからプロラクチン産生細胞においてＤ−アスパラギン酸がプロラクチンの分泌を制御していると考えられている（非特許文献３）。
【０００５】
一方、ラット精巣の静脈では他の静脈血よりも常に高濃度のＤ−アスパラギン酸が検出されていることに加え、ラット精巣から単離、精製したＬｅｙｄｉｇ細胞にＤ−アスパラギン酸を加えることによりテストステロンの合成及び分泌が用量依存的に促進されることが報告されている（非特許文献４）。
【０００６】
Ｄ−セリンは統合失調症に関連すると推察されているＮＭＤＡ型グルタミン酸受容体のグリシン結合部位を選択的に刺激し、グルタミン酸の本受容体を介する作用を増強することで神経伝達を促進することが報告されている（非特許文献５）。実際にＤ−セリンの投与により統合失調症が改善することや、統合失調症患者では血清中のＤ−セリン濃度が健常者よりも低いことが報告されている。さらにＤ−セリンは筋萎縮性側索硬化症（ＡＬＳ）における運動神経の変性に関与することも最近報告された（非特許文献６）。
【０００７】
財津らは、Ｄ、Ｌ−アミノ酸一斉高感度分析システム（特許文献１、非特許文献７−９）を開発し、アミノ酸立体異性体の一斉高感度分析技術を実用化した。これにより、ヒトの生物学的材料に含まれる極微量のＤ−アミノ酸と、比較的大量に存在するＬ−アミノ酸とを同一サンプルから網羅的に分離・定量することが可能になった。
【０００８】
本発明は、各種疾患患者のアミノ酸立体異性体の定量分析結果から、健常者の生物学的材料中のＤ−アミノ酸及びＬ−アミノ酸の量は一定のバランスを保っていること、個体差が小さいこと、及び、患者の生物学的材料中のＤ−アミノ酸及びＬ−アミノ酸を分離・定量することによってはじめて差を確認することができるバランスの崩れが一部にあることを発見した。本発明はかかる予想外の発見に基づいて想到された。
【先行技術文献】
【特許文献】
【０００９】
【特許文献１】特許第４２９１６２８号公報
【非特許文献】
【００１０】
【非特許文献１】Ｃｏｒｒｉｇａｎ  Ｊ．Ｊ．、Ｓｃｉｅｎｃｅ  １６４：１４２（１９６９）
【非特許文献２】Ｈａｍａｓｅ  Ｋ，  Ｍｏｒｉｋａｗａ  Ａ，  ａｎｄ  Ｚａｉｔｓｕ  Ｋ．  、  Ｊ  Ｃｈｒｏｍａｔｏｇｒ  Ｂ  ７８１：  ７３（２００２）
【非特許文献３】Ｄ’Ａｎｉｅｌｌｏ  Ａら、ＦＡＳＥＢ  Ｊ  １４：  ６９９（２０００）
【非特許文献４】Ｎａｇａｔａ  Ｙら、ＦＥＢＳ  Ｌｅｔｔ．  ４４４：１６０（１９９９）
【非特許文献５】Ｎｉｓｈｉｋａｗａ  Ｔ、Ｂｉｏｌ．  Ｐｈａｒｍ．  Ｂｕｌｌ．  ２８：  １５６１（２００５）
【非特許文献６】Ｓａｓａｂｅ，Ｊ．、ら、Ｐｒｏｃ．Ｎａｔｌ．Ａｃａｄ．Ｓｃｉ．  １０９：６２７（２０１２）
【非特許文献７】Ｈａｍａｓｅ  Ｋ．、ら、Ｊ．Ｃｈｒｏｍａｔｏｇｒ．Ａ，  １１４３：１０５（２００７）
【非特許文献８】ＨａｍａｓｅＫ．、ら、Ｊ．Ｃｈｒｏｍａｔｏｇｒ．Ａ，  １２１７：１０５６（２０１０）
【非特許文献９】ＭｉｙｏｓｈｉＹ．、ら、Ｊ．Ｃｈｒｏｍａｔｏｇｒ．Ｂ，  ８７９：３１８４（２０１１）
【発明の概要】
【発明が解決しようとする課題】
【００１１】
アミノ酸立体異性体の全分析により、アミノ酸立体異性体量、変化と疾患との相関を明かにして、新規な疾患診断方法と、該疾患診断方法を実行する新規な疾患診断装置とを開発する必要がある。
【課題を解決するための手段】
【００１２】
本発明は疾患サンプル分析装置を提供する。本発明の疾患サンプル分析装置は、被検者の生物学的材料中のアミノ酸立体異性体を分離・定量する手段と、該アミノ酸立体異性体の量を判別式に代入して計算し、病態指標値を得る手段と、前記病態指標値に基づいて前記被検者の病態情報を出力する手段とを含む。
【００１３】
本発明の疾患サンプル分析装置において、前記判別式は、病態指標値＝（前記被検者の生物学的材料中の測定値のうち前記疾患と相関するアミノ酸立体異性体の測定値）／（健常者の生物学的材料中の前記疾患と相関するアミノ酸立体異性体の基準値）か、病態指標値＝［（前記被検者の生物学的材料中の測定値のうち前記疾患と相関するアミノ酸立体異性体の測定値）／｛（前記被検者の生物学的材料中の測定値のうち前記疾患と相関するアミノ酸立体異性体の測定値）＋（前記被検者の生物学的材料中の測定値のうち前記疾患と相関するアミノ酸立体異性体のエナンチオマーの測定値）｝］÷［（健常者の基準値のうち前記疾患と相関するアミノ酸立体異性体の基準値）／｛（前記健常者の基準値のうち前記疾患と相関するアミノ酸立体異性体の基準値）＋（前記健常者の基準値のうち前記疾患と相関するアミノ酸立体異性体のエナンチオマーの基準値）｝］かの場合がある。
【００１４】
本発明の疾患サンプル分析装置において、前記病態指標値に基づいて前記被検者の病態情報を出力する手段は、前記病態指標値が２．０又はこれ以上のとき、前記被検者は前記疾患に罹患しているとの前記被検者の病態情報を出力する手段の場合がある。
【００１５】
本発明の疾患サンプル分析装置において、前記疾患と相関するアミノ酸立体異性体は、前記疾患が腎臓病のとき、Ｄ−セリン、Ｄ−スレオニン、Ｄ−アラニン、Ｄ−アスパラギン、アロＤ−スレオニン、Ｄ−グルタミン、Ｄ−プロリン及びＤ−フェニルアラニンからなるグループから選択される１種類又は２種類以上のアミノ酸であり、前記疾患が前立腺がんのとき、Ｄ−ヒスチジン及び／又はＤ−アスパラギンであり、前記疾患が骨粗鬆症のとき、Ｄ−アスパラギンであり、前記疾患が拡張型心筋症のとき、Ｄ−セリン、Ｌ−アルギニン、Ｄ−グルタミン酸及びＤ−プロリンであり、前記疾患が更年期障害のとき、Ｌ−ヒスチジン、Ｌ−フェニルアラニン及びＤ−アスパラギン酸であり、前記疾患が肉腫のとき、Ｄ−アルギニンであり、前記疾患がアルツハイマー病のとき、Ｄ−アロ−イソロイシン、Ｄ−セリン、Ｄ−アラニン、Ｄ−メチオニン、Ｄ−ロイシン、Ｄ−アスパラギン酸、Ｄ−フェニルアラニン及びＬ−フェニルアラニンであり、ＤＡＯ欠損のとき、Ｄ−セリン、Ｄ−アロ−スレオニン、Ｄ−アラニン、Ｄ−プロリン、Ｄ−ロイシン及びＤ−フェニルアラニンであり、ＤＤＯ欠損のとき、Ｄ−アスパラギン、Ｄ−アスパラギン酸及びＤ−アルギニンであり、フェニルケトン尿症のとき、Ｌ−フェニルアラニンであり、メープルシロップ尿症のとき、Ｌ−バリン、Ｌ−アロ−イソロイシン、Ｄ−イソロイシン、Ｌ−イソロイシン及びＬ−ロイシンであり、関節リウマチのとき、Ｌ−グルタミン酸、Ｌ−グルタミン及びＬ−システインであり、腎臓がんのとき、Ｄ−セリン及びＤ−アラニンであり、肺がんのとき、Ｄ−アラニンであり、心血管疾患のとき、Ｌ−アルギニン及びＬ−グルタミン酸であり、多発性硬化症のとき、Ｄ−セリン及びＬ−システインであり、急性骨髄性白血病のとき、Ｌ−システインであり、リンパ腫のとき、Ｌ−システインであり、急性リンパ性白血病のとき、Ｌ−グルタミン酸及びＬ−システインであり、乾癬のとき、Ｌ−アルギニン及びＬ−システインであり、糖尿病のときＤ−アラニン、Ｌ−システイン及びＬ−グルタミン酸の場合がある。
【００１６】
本発明は疾患サンプル分析システムを提供する。本発明の疾患サンプル分析システムは、被検者の生物学的材料中のアミノ酸立体異性体を分離・定量する定量分析部と、該アミノ酸立体異性体の量を判別式に代入して計算し、病態指標値を得る病態指標値演算部と、前記病態指標値に基づいて前記被検者の病態情報を出力する病態情報出力部とを含む。
【００１７】
本発明の疾患サンプル分析システムにおいて、前記判別式は、病態指標値＝（前記被検者の生物学的材料中の測定値のうち前記疾患と相関するアミノ酸立体異性体の測定値）／（健常者の生物学的材料中の前記疾患と相関するアミノ酸立体異性体の基準値）か、病態指標値＝［（前記被検者の生物学的材料中の測定値のうち前記疾患と相関するアミノ酸立体異性体の測定値）／｛（前記被検者の生物学的材料中の測定値のうち前記疾患と相関するアミノ酸立体異性体の測定値）＋（前記被検者の生物学的材料中の測定値のうち前記疾患と相関するアミノ酸立体異性体のエナンチオマーの測定値）｝］÷［（健常者の基準値のうち前記疾患と相関するアミノ酸立体異性体の基準値）／｛（前記健常者の基準値のうち前記疾患と相関するアミノ酸立体異性体の基準値）＋（前記健常者の基準値のうち前記疾患と相関するアミノ酸立体異性体のエナンチオマーの基準値）｝］かの場合がある。
【００１８】
本発明の疾患サンプル分析システムにおいて、前記病態情報出力部は、前記病態指標値が２．０又はこれ以上のとき、前記被検者は前記疾患に罹患しているとの前記被検者の病態情報を出力する場合がある。
【００１９】
本発明の疾患サンプル分析システムにおいて、前記疾患と相関するアミノ酸立体異性体は、前記疾患が腎臓病のとき、Ｄ−セリン、Ｄ−スレオニン、Ｄ−アラニン、Ｄ−アスパラギン、アロＤ−スレオニン、Ｄ−グルタミン、Ｄ−プロリン及びＤ−フェニルアラニンからなるグループから選択される１種類又は２種類以上のアミノ酸であり、前記疾患が前立腺がんのとき、Ｄ−ヒスチジン及び／又はＤ−アスパラギンであり、前記疾患が骨粗鬆症のとき、Ｄ−アスパラギンであり、前記疾患が拡張型心筋症のとき、Ｄ−セリン、Ｌ−アルギニン、Ｄ−グルタミン酸及びＤ−プロリンであり、前記疾患が更年期障害のとき、Ｌ−ヒスチジン、Ｌ−フェニルアラニン及びＤ−アスパラギン酸であり、前記疾患が肉腫のとき、Ｄ−アルギニンであり、前記疾患がアルツハイマー病のとき、Ｄ−アロ−イソロイシン、Ｄ−セリン、Ｄ−アラニン、Ｄ−メチオニン、Ｄ−ロイシン、Ｄ−アスパラギン酸、Ｄ−フェニルアラニン及びＬ−フェニルアラニンであり、ＤＡＯ欠損のとき、Ｄ−セリン、Ｄ−アロ−スレオニン、Ｄ−アラニン、Ｄ−プロリン、Ｄ−ロイシン及びＤ−フェニルアラニンであり、ＤＤＯ欠損のとき、Ｄ−アスパラギン、Ｄ−アスパラギン酸及びＤ−アルギニンであり、フェニルケトン尿症のとき、Ｌ−フェニルアラニンであり、メープルシロップ尿症のとき、Ｌ−バリン、Ｌ−アロ−イソロイシン、Ｄ−イソロイシン、Ｌ−イソロイシン及びＬ−ロイシンであり、関節リウマチのとき、Ｌ−グルタミン酸、Ｌ−グルタミン及びＬ−システインであり、腎臓がんのとき、Ｄ−セリン及びＤ−アラニンであり、肺がんのとき、Ｄ−アラニンであり、心血管疾患のとき、Ｌ−アルギニン及びＬ−グルタミン酸であり、多発性硬化症のとき、Ｄ−セリン及びＬ−システインであり、急性骨髄性白血病のとき、Ｌ−システインであり、リンパ腫のとき、Ｌ−システインであり、急性リンパ性白血病のとき、Ｌ−グルタミン酸及びＬ−システインであり、乾癬のとき、Ｌ−アルギニン及びＬ−システインであり、糖尿病のときＤ−アラニン、Ｌ−システイン及びＬ−グルタミン酸の場合がある。
【００２０】
本発明は疾患サンプル分析方法を提供する。本発明の疾患サンプル分析方法は、被検者の生物学的材料中のアミノ酸立体異性体の量を測定するステップと、該アミノ酸立体異性体の量を判別式に代入して計算し、病態指標値を得るステップと、前記病態指標値に基づいて前記被検者の病態情報を出力するステップとを含む。
【００２１】
本発明の疾患サンプル分析方法において、前記判別式は、病態指標値＝（前記被検者の生物学的材料中の測定値のうち前記疾患と相関するアミノ酸立体異性体の測定値）／（健常者の生物学的材料中の前記疾患と相関するアミノ酸立体異性体の基準値）か、病態指標値＝［（前記被検者の生物学的材料中の測定値のうち前記疾患と相関するアミノ酸立体異性体の測定値）／｛（前記被検者の生物学的材料中の測定値のうち前記疾患と相関するアミノ酸立体異性体の測定値）＋（前記被検者の生物学的材料中の測定値のうち前記疾患と相関するアミノ酸立体異性体のエナンチオマーの測定値）｝］÷［（健常者の基準値のうち前記疾患と相関するアミノ酸立体異性体の基準値）／｛（前記健常者の基準値のうち前記疾患と相関するアミノ酸立体異性体の基準値）＋（前記健常者の基準値のうち前記疾患と相関するアミノ酸立体異性体のエナンチオマーの基準値）｝］かの場合がある。
【００２２】
本発明の疾患サンプル分析方法において、前記病態指標値に基づいて前記被検者の病態情報を出力するステップは、前記病態指標値が２．０又はこれ以上のとき、前記被検者は前記疾患に罹患しているとの前記被検者の病態情報を出力するステップの場合がある。
【００２３】
本発明の疾患サンプル分析方法において、前記疾患と相関するアミノ酸立体異性体は、前記疾患が腎臓病のとき、Ｄ−セリン、Ｄ−スレオニン、Ｄ−アラニン、Ｄ−アスパラギン、アロＤ−スレオニン、Ｄ−グルタミン、Ｄ−プロリン及びＤ−フェニルアラニンからなるグループから選択される１種類又は２種類以上のアミノ酸であり、前記疾患が前立腺がんのとき、Ｄ−ヒスチジン及び／又はＤ−アスパラギンであり、前記疾患が骨粗鬆症のとき、Ｄ−アスパラギンであり、前記疾患が拡張型心筋症のとき、Ｄ−セリン、Ｌ−アルギニン、Ｄ−グルタミン酸及びＤ−プロリンであり、前記疾患が更年期障害のとき、Ｌ−ヒスチジン、Ｌ−フェニルアラニン及びＤ−アスパラギン酸であり、前記疾患が肉腫のとき、Ｄ−アルギニンであり、前記疾患がアルツハイマー病のとき、Ｄ−アロ−イソロイシン、Ｄ−セリン、Ｄ−アラニン、Ｄ−メチオニン、Ｄ−ロイシン、Ｄ−アスパラギン酸、Ｄ−フェニルアラニン及びＬ−フェニルアラニンであり、ＤＡＯ欠損のとき、Ｄ−セリン、Ｄ−アロ−スレオニン、Ｄ−アラニン、Ｄ−プロリン、Ｄ−ロイシン及びＤ−フェニルアラニンであり、ＤＤＯ欠損のとき、Ｄ−アスパラギン、Ｄ−アスパラギン酸及びＤ−アルギニンであり、フェニルケトン尿症のとき、Ｌ−フェニルアラニンであり、メープルシロップ尿症のとき、Ｌ−バリン、Ｌ−アロ−イソロイシン、Ｄ−イソロイシン、Ｌ−イソロイシン及びＬ−ロイシンであり、関節リウマチのとき、Ｌ−グルタミン酸、Ｌ−グルタミン及びＬ−システインであり、腎臓がんのとき、Ｄ−セリン及びＤ−アラニンであり、肺がんのとき、Ｄ−アラニンであり、心血管疾患のとき、Ｌ−アルギニン及びＬ−グルタミン酸であり、多発性硬化症のとき、Ｄ−セリン及びＬ−システインであり、急性骨髄性白血病のとき、Ｌ−システインであり、リンパ腫のとき、Ｌ−システインであり、急性リンパ性白血病のとき、Ｌ−グルタミン酸及びＬ−システインであり、乾癬のとき、Ｌ−アルギニン及びＬ−システインであり、糖尿病のときＤ−アラニン、Ｌ−システイン及びＬ−グルタミン酸の場合がある。
【００２４】
本発明は疾患の診断方法を提供する。本発明の疾患の診断方法は、被検者の生物学的材料中のアミノ酸立体異性体の量を測定するステップと、該アミノ酸立体異性体の量の測定値と健常者の基準値とに基づいて前記疾患の診断をするステップとを含む。
【００２５】
本発明は疾患の診断方法を提供する。本発明の疾患の診断方法は、被検者の生物学的材料中のアミノ酸立体異性体を分離・定量するステップと、該アミノ酸立体異性体の量を判別式に代入して計算し、病態指標値を得るステップと、前記病態指標値に基づいて前記被検者を診断するステップとを含む。
【００２６】
本発明の疾患の診断方法において、前記判別式は、病態指標値＝（前記被検者の生物学的材料中の測定値のうち前記疾患と相関するアミノ酸立体異性体の測定値）／（健常者の生物学的材料中の前記疾患と相関するアミノ酸立体異性体の基準値）か、病態指標値＝［（前記被検者の生物学的材料中の測定値のうち前記疾患と相関するアミノ酸立体異性体の測定値）／｛（前記被検者の生物学的材料中の測定値のうち前記疾患と相関するアミノ酸立体異性体の測定値）＋（前記被検者の生物学的材料中の測定値のうち前記疾患と相関するアミノ酸立体異性体のエナンチオマーの測定値）｝］÷［（健常者の基準値のうち前記疾患と相関するアミノ酸立体異性体の基準値）／｛（前記健常者の基準値のうち前記疾患と相関するアミノ酸立体異性体の基準値）＋（前記健常者の基準値のうち前記疾患と相関するアミノ酸立体異性体のエナンチオマーの基準値）｝］かの場合がある。
【００２７】
本発明の疾患の診断方法において、前記病態指標値に基づいて前記被検者の病態情報を出力するステップは、前記病態指標値が２．０又はこれ以上のとき、前記被検者は前記疾患に罹患している診断するステップの場合がある。
【００２８】
本発明の疾患の診断方法において、前記疾患と相関するアミノ酸立体異性体は、前記疾患が腎臓病のとき、Ｄ−セリン、Ｄ−スレオニン、Ｄ−アラニン、Ｄ−アスパラギン、アロＤ−スレオニン、Ｄ−グルタミン、Ｄ−プロリン及びＤ−フェニルアラニンからなるグループから選択される１種類又は２種類以上のアミノ酸であり、前記疾患が前立腺がんのとき、Ｄ−ヒスチジン及び／又はＤ−アスパラギンであり、前記疾患が骨粗鬆症のとき、Ｄ−アスパラギンの場合がある。
【００２９】
本発明のアミノ酸立体異性体とは、タンパク質の翻訳に用いられる２０種類のアミノ酸と、該アミノ酸のうちグリシンを除く１９種類のＬ−アミノ酸の光学異性体であるＤ−アミノ酸１９種類と、アロＬ−スレオニン、アロＤ−スレオニン及びアロＤ−イソロイシンとをいう。
【００３０】
本発明の疾患サンプル分析装置は、生物学的材料中のアミノ酸立体異性体の量を測定する手段と、該アミノ酸立体異性体の量を判別式に代入して計算し、病態指標値を得る手段と、前記病態指標値に基づいて前記被検者の病態情報を出力する手段とを含む。前記物学的材料中のアミノ酸立体異性体の量を測定する手段は、サンプルの自動分取部と、逆相カラム等によるＨＰＬＣ分離及びピーク検出部である。前記アミノ酸立体異性体の量を判別式に代入して計算し、病態指標値を得る手段は、前記判別式、疾患ごとの健常者の基準値等のデータを格納する記憶部と、該データに基づいて判別式の計算を行う演算部とである。前記病態指標値に基づいて前記被検者の病態情報を出力する手段は、病態情報選択部及び病態情報出力部である。この他、全体を統括的に制御するＣＰＵ等の制御部と、入力装置及び出力装置に接続する入出力インターフェース部と、ネットワークに通信可能に接続する通信インターフェース部とが本発明の疾患サンプル分析装置には含まれる。
【００３１】
本発明において生物学的材料とは、血液、血漿、血清、腹水、羊水、リンパ液、唾液、精液、尿等の体液と、糞便、汗、鼻汁等の排泄物と、体毛、爪、皮膚組織、内臓組織等の体組織とをいうが、これらに限定されない。
【００３２】
本発明において、判別式とは、アミノ酸立体異性体量の被検者測定値が、予め健常者の測定値から設定される基準値の何倍であるかを算出する式の場合がある。また、アミノ酸立体異性体の量と、該異性体のエナンチオマーの量との和に対する前記アミノ酸立体異性体の量の割合又は百分率を算出する式の場合がある。さらに、複数種類のアミノ酸立体異性体の量の組み合わせから病態指標値を算出する式の場合がある。前記複数のアミノ酸立体異性体は、Ｄ−アミノ酸酸化酵素又はＤ−アスパラギン酸酸化酵素の基質となる等の共通点があるアミノ酸のグループの場合がある。例えば、同一の酵素の基質となるアミノ酸立体異性体のうち、疾患と相関するアミノ酸の量を疾患と相関しないアミノ酸の量で正規化される場合がある。
【００３３】
本発明の判別式において、健常者の生物学的材料中の疾患と相関するアミノ酸立体異性体の基準値とは、疾患と相関するアミノ酸立体異性体について、健常者の生物学的材料と、該アミノ酸立体異性体が相関性がない他の疾患患者の生物学的材料とのうちいずれか又は両方の生物学的材料中の量の平均値又は中央値から決定される。前記基準値は、予め設定される場合があるが、本発明の実施の際に対照実験として用意され、同時に試験される生物学的材料の測定値か、その平均値又は中央値の場合もある。
【００３４】
本発明の病態情報として、本発明の判別式で算出される病態指標値が１．０又はその近傍のとき、被検者は健常者であると出力される。前記病態指標値が２．０又はこれ以上のとき、被検者は疾患に罹患している可能性が大と出力される場合がある。しかし、前記病態指標値が２．０未満でも、被検者が前記疾患に罹患している可能性があると出力される場合がある。
【００３５】
本発明の疾患サンプル分析装置、分析システム及び分析方法により得られる被検者の生物学的材料中のアミノ酸立体異性体の定量データは、さまざまな疾患の診断及び予防の指標として用いられる。また、前記定量データは、前記疾患の病状の進行の指標として用いられる。さらに、前記定量データは、前記疾患の治療及び／又は予防のための医薬の薬効を判断するための指標として用いられる。さらに、前記定量データは、医薬、医薬部外品、化粧料、食品その他の化学物質の生体への影響や、その他の物理的及び／又は生物学的な環境要因の成体への影響を判断するための指標として用いられる。
【００３６】
本明細書において言及される全ての文献はその全体が引用により本明細書に取り込まれる。
【図面の簡単な説明】
【００３７】
【図１】健常者及び各種疾患患者のそれぞれ最初のサンプルについてのＤ−アミノ酸の分析結果をまとめた表。
【図２−１】Ｄ−セリンの血清濃度の疾患サンプルごとの分布図。
【図２−２】Ｌ−セリンの血清濃度の疾患サンプルごとの分布図。
【図２−３】Ｄ−スレオニンの血清濃度の疾患サンプルごとの分布図。
【図２−４】Ｌ−スレオニンの血清濃度の疾患サンプルごとの分布図。
【図２−５】Ｄ−アラニンの血清濃度の疾患サンプルごとの分布図。
【図２−６】Ｌ−アラニンの血清濃度の疾患サンプルごとの分布図。
【図３−１】セリンのサンプルのＤ−体及びＬ−体の量の和に対するＤ−体量の百分率（％Ｄ）の分布図。
【図３−２】スレオニンのサンプルのＤ−体及びＬ−体の量の和に対するＤ−体量の百分率（％Ｄ）の分布図。
【図３−３】アラニンのサンプルのＤ−体及びＬ−体の量の和に対するＤ−体量の百分率（％Ｄ）の分布図。
【図４−１】拡張型心筋症モデルマウス（ＭＬＰ−ＫＯマウス、以下、「疾病」という。）３匹と、対照正常マウス（以下、「正常」という。）４匹との尿中のＤ−セリン濃度の平均値及び標準誤差の棒グラフ。縦軸は、Ｄ−セリン濃度（ナノモル／ｍＬ）である。
【図４−２】拡張型心筋症モデルマウス（以下、「疾病」という。）３匹と、対照正常マウス（以下、「正常」という。）４匹との尿中のＬ−セリン濃度の平均値及び標準誤差の棒グラフ。縦軸は、Ｌ−セリン濃度（ナノモル／ｍＬ）である。
【図４−３】拡張型心筋症モデルマウス（以下、「疾病」という。）３匹と、対照正常マウス（以下、「正常」という。）４匹との尿中の全セリン濃度（Ｄ−セリン濃度及びＬ−セリン濃度の和）の平均値及び標準誤差の棒グラフ。縦軸は、全セリン濃度（ナノモル／ｍＬ）である。
【図４−４】拡張型心筋症モデルマウス（以下、「疾病」という。）３匹と、対照正常マウス（以下、「正常」という。）４匹との尿中の全セリン濃度に対するＤ−セリン濃度の百分率（％Ｄ）の平均値及び標準誤差の棒グラフ。縦軸は、％Ｄである。正常と疾病との有意差は、Ｓｔｕｄｅｎｔのｔ検定でＰが０．０２未満であった。
【図４−５】拡張型心筋症モデルマウス（以下、「疾病」という。）３匹と、対照正常マウス（以下、「正常」という。）４匹との尿中のＤ−アルギニン濃度の平均値及び標準誤差の棒グラフ。縦軸は、Ｄ−アルギニン濃度（ナノモル／ｍＬ）である。
【図４−６】拡張型心筋症モデルマウス（以下、「疾病」という。）３匹と、対照正常マウス（以下、「正常」という。）４匹との尿中のＬ−アルギニン濃度の平均値及び標準誤差の棒グラフ。縦軸は、Ｌ−アルギニン濃度（ナノモル／ｍＬ）である。正常と疾病との有意差は、Ｓｔｕｄｅｎｔのｔ検定でＰが０．０１未満であった。
【図４−７】拡張型心筋症モデルマウス（以下、「疾病」という。）３匹と、対照正常マウス（以下、「正常」という。）４匹との尿中の全アルギニン濃度（Ｄ−アルギニン濃度及びＬ−アルギニン濃度の和）の平均値及び標準誤差の棒グラフ。縦軸は、全アルギニン濃度（ナノモル／ｍＬ）である。
【図４−８】拡張型心筋症モデルマウス（以下、「疾病」という。）３匹と、対照正常マウス（以下、「正常」という。）４匹との尿中のＤ−グルタミン酸濃度の平均値及び標準誤差の棒グラフ。縦軸は、Ｄ−グルタミン酸濃度（ナノモル／ｍＬ）である。正常と疾病との有意差は、Ｓｔｕｄｅｎｔのｔ検定でＰが０．０２未満であった。
【図４−９】拡張型心筋症モデルマウス（以下、「疾病」という。）３匹と、対照正常マウス（以下、「正常」という。）４匹との尿中のＬ−グルタミン酸濃度の平均値及び標準誤差の棒グラフ。縦軸は、Ｌ−グルタミン酸濃度（ナノモル／ｍＬ）である。
【図４−１０】拡張型心筋症モデルマウス（以下、「疾病」という。）３匹と、対照正常マウス（以下、「正常」という。）４匹との尿中の全グルタミン酸濃度（Ｄ−グルタミン酸濃度及びＬ−グルタミン酸濃度の和）の平均値及び標準誤差の棒グラフ。縦軸は、全グルタミン酸濃度（ナノモル／ｍＬ）である。
【図４−１１】拡張型心筋症モデルマウス（以下、「疾病」という。）３匹と、対照正常マウス（以下、「正常」という。）４匹との尿中のＤ−プロリン濃度の平均値及び標準誤差の棒グラフ。縦軸は、Ｄ−プロリン濃度（ナノモル／ｍＬ）である。正常と疾病との有意差は、Ｓｔｕｄｅｎｔのｔ検定でＰが０．０１未満であった。
【図４−１２】拡張型心筋症モデルマウス（以下、「疾病」という。）３匹と、対照正常マウス（以下、「正常」という。）４匹との尿中のＬ−プロリン濃度の平均値及び標準誤差の棒グラフ。縦軸は、Ｌ−プロリン濃度（ナノモル／ｍＬ）である。
【図４−１３】拡張型心筋症モデルマウス（以下、「疾病」という。）３匹と、対照正常マウス（以下、「正常」という。）４匹との尿中の全プロリン濃度（Ｄ−プロリン濃度及びＬ−プロリン濃度の和）の平均値及び標準誤差の棒グラフ。縦軸は、全プロリン濃度（ナノモル／ｍＬ）である。
【図４−１４】拡張型心筋症モデルマウス（以下、「疾病」という。）３匹と、対照正常マウス（以下、「正常」という。）４匹との尿中のＤ−リジン濃度の平均値及び標準誤差の棒グラフ。縦軸は、Ｄ−リジン濃度（ナノモル／ｍＬ）である。正常と疾病との有意差は、Ｓｔｕｄｅｎｔのｔ検定でＰが０．０１未満であった。
【図４−１５】拡張型心筋症モデルマウス（以下、「疾病」という。）３匹と、対照正常マウス（以下、「正常」という。）４匹との尿中のＬ−リジン濃度の平均値及び標準誤差の棒グラフ。縦軸は、Ｌ−リジン濃度（ナノモル／ｍＬ）である。
【図４−１６】拡張型心筋症モデルマウス（以下、「疾病」という。）３匹と、対照正常マウス（以下、「正常」という。）４匹との尿中の全リジン濃度（Ｄ−リジン濃度及びＬ−リジン濃度の和）の平均値及び標準誤差の棒グラフ。縦軸は、全リジン濃度（ナノモル／ｍＬ）である。
【図５−１】９週齢ＨＲ−１マウスから卵巣が摘出された更年期モデルマウス（以下、「ＯＶＸ」という。）１２匹と、同じ週齢の雌マウスから、卵巣摘出を行わずに、皮膚の切開及び縫合のみを行った対照マウス（以下、「ｓｈａｍ」という。）６匹との体重の平均値及び標準偏差の変化を示すグラフ。縦軸はマウスの体重（グラム）を示す。黒塗り及び斜線ハッチングの棒グラフは、それぞれ、施術前の９週齢マウスと、施術後１週目（１０週齢）、２週目（１１週齢）、３週目（１２週齢）、４週目（１３週齢）の更年期モデルマウス（ＯＶＸ）及び対照マウス（ｓｈａｍ）の体重の平均値及び標準偏差を示す。更年期モデルマウス（ＯＶＸ）及び対照マウス（ｓｈａｍ）との体重の有意差は、Ｓｔｕｄｅｎｔのｔ検定でＰが０．０５未満（＊）又は０．０１未満（＊＊）であった。卵巣が摘出された更年期モデルマウスでは術後２週目から体重が対照マウスより有意に増加し、更年期モデルマウス作製に成功したことを示す。
【図５−２】更年期モデルマウス（ＯＶＸ）３匹のうち１匹目（ＯＶＸ−３）の尿中全アミノ酸光学異性体含量分析結果を示す表。グリシンは光学異性体が存在しないので、Ｌ体の欄に記載された。アミノ酸はすべてＮＢＤ−Ｆにより蛍光誘導体化され、本発明の全アミノ酸光学異性体含量分析装置を用いて解析された。トリプトファンはＮＢＤ誘導体の感度は低いため、今回の解析ではｎｄとされた。システインについては、空気酸化によりシスチンが生成するため、システインとしての含量は極めて低い。そこで今回の解析ではｎｄとされた。
【図５−３】更年期モデルマウス（ＯＶＸ）３匹のうち２匹目（ＯＶＸ−４）の尿中全アミノ酸光学異性体含量分析結果を示す表。グリシンは光学異性体が存在しないので、Ｌ体の欄に記載された。アミノ酸はすべてＮＢＤ−Ｆにより蛍光誘導体化され、本発明の全アミノ酸光学異性体含量分析装置を用いて解析された。トリプトファンはＮＢＤ誘導体の感度は低いため、今回の解析ではｎｄとされた。システインについては、空気酸化によりシスチンが生成するため、システインとしての含量は極めて低い。そこで今回の解析ではｎｄとされた。
【図５−４】更年期モデルマウス（ＯＶＸ）３匹のうち３匹目（ＯＶＸ−５）の尿中全アミノ酸光学異性体含量分析結果を示す表。グリシンは光学異性体が存在しないので、Ｌ体の欄に記載された。アミノ酸はすべてＮＢＤ−Ｆにより蛍光誘導体化され、本発明の全アミノ酸光学異性体含量分析装置を用いて解析された。トリプトファンはＮＢＤ誘導体の感度は低いため、今回の解析ではｎｄとされた。システインについては、空気酸化によりシスチンが生成するため、システインとしての含量は極めて低い。そこで今回の解析ではｎｄとされた。
【図５−５】対照マウス（ｓｈａｍ）４匹のうち１匹目（Ｓｈａｍ−１６）の尿中全アミノ酸光学異性体含量分析結果を示す表。グリシンは光学異性体が存在しないので、Ｌ体の欄に記載された。アミノ酸はすべてＮＢＤ−Ｆにより蛍光誘導体化され、本発明の全アミノ酸光学異性体含量分析装置を用いて解析された。トリプトファンはＮＢＤ誘導体の感度は低いため、今回の解析ではｎｄとされた。システインについては、空気酸化によりシスチンが生成するため、システインとしての含量は極めて低い。そこで今回の解析ではｎｄとされた。
【図５−６】対照マウス（ｓｈａｍ）４匹のうち２匹目（Ｓｈａｍ−１７）の尿中全アミノ酸光学異性体含量分析結果を示す表。グリシンは光学異性体が存在しないので、Ｌ体の欄に記載された。アミノ酸はすべてＮＢＤ−Ｆにより蛍光誘導体化され、本発明の全アミノ酸光学異性体含量分析装置を用いて解析された。トリプトファンはＮＢＤ誘導体の感度は低いため、今回の解析ではｎｄとされた。システインについては、空気酸化によりシスチンが生成するため、システインとしての含量は極めて低い。そこで今回の解析ではｎｄとされた。
【図５−７】対照マウス（ｓｈａｍ）４匹のうち３匹目（Ｓｈａｍ−１９）の尿中全アミノ酸光学異性体含量分析結果を示す表。グリシンは光学異性体が存在しないので、Ｌ体の欄に記載された。アミノ酸はすべてＮＢＤ−Ｆにより蛍光誘導体化され、本発明の全アミノ酸光学異性体含量分析装置を用いて解析された。トリプトファンはＮＢＤ誘導体の感度は低いため、今回の解析ではｎｄとされた。システインについては、空気酸化によりシスチンが生成するため、システインとしての含量は極めて低い。そこで今回の解析ではｎｄとされた。
【図５−８】対照マウス（ｓｈａｍ）４匹のうち４匹目（Ｓｈａｍ−２０）の尿中全アミノ酸光学異性体含量分析結果を示す表。グリシンは光学異性体が存在しないので、Ｌ体の欄に記載された。アミノ酸はすべてＮＢＤ−Ｆにより蛍光誘導体化され、本発明の全アミノ酸光学異性体含量分析装置を用いて解析された。トリプトファンはＮＢＤ誘導体の感度は低いため、今回の解析ではｎｄとされた。システインについては、空気酸化によりシスチンが生成するため、システインとしての含量は極めて低い。そこで今回の解析ではｎｄとされた。
【図５−９】更年期モデルマウス（ＯＶＸ）３匹及び対照マウス（ｓｈａｍ）４匹の尿中のＤ−アミノ酸含量を比較した表。Ｄ−アスパラギン酸は更年期モデルマウス（ＯＶＸ）よりも対照マウス（ｓｈａｍ）が低く、有意差は、Ｓｔｕｄｅｎｔのｔ検定でＰが０．０１５であった。
【図５−１０】更年期モデルマウス（ＯＶＸ）３匹及び対照マウス（ｓｈａｍ）４匹の尿中のＬ−アミノ酸含量を比較した表。Ｌ−ヒスチジン及びＬ−フェニルアラニンは対照マウス（ｓｈａｍ）よりも更年期モデルマウス（ＯＶＸ）が低く、有意差は、Ｓｔｕｄｅｎｔのｔ検定でＰがそれぞれ０．０１７及び０．０３７であった。
【図５−１１】更年期モデルマウス（ＯＶＸ）３匹及び対照マウス（ｓｈａｍ）４匹の尿中の各アミノ酸のＤ−体濃度及びＬ−体の濃度の和に対するＤ−体濃度の百分率（％Ｄ）を比較した表。スレオニン及びイソロイシンについては、生体内でのＤ−体がアロ体となるため、％Ｄは、Ｄ−アロ体濃度及びＬ−体濃度の和に対するＤ−アロ体濃度の百分率として評価された。Ｄ−アスパラギン酸は対照マウス（ｓｈａｍ）よりも更年期モデルマウス（ＯＶＸ）が低く、有意差は、Ｓｔｕｄｅｎｔのｔ検定でＰが０．００２であった。
【図５−１２】更年期モデルマウス（ＯＶＸ）３匹及び対照マウス（ｓｈａｍ）４匹の尿中の全Ｌ−アミノ酸の濃度の和に対する各Ｄ−アミノ酸濃度の百分率（％Ｄ／ｔｏｔａｌ  Ｌ）を比較した表。Ｄ−アスパラギン酸は対照マウス（ｓｈａｍ）よりも更年期モデルマウス（ＯＶＸ）が低く、有意差は、Ｓｔｕｄｅｎｔのｔ検定でＰが０．００５であった。
【図５−１３】更年期モデルマウス（ＯＶＸ）３匹及び対照マウス（ｓｈａｍ）４匹の尿中の全Ｄ−アミノ酸の濃度の和に対する各Ｄ−アミノ酸濃度の百分率（％Ｄ／ｔｏｔａｌ  Ｄ）を比較した表。Ｄ−アスパラギン酸は対照マウス（ｓｈａｍ）よりも更年期モデルマウス（ＯＶＸ）が低く、有意差は、Ｓｔｕｄｅｎｔのｔ検定でＰが０．０１７であった。
【図５−１４】更年期モデルマウス（ＯＶＸ）３匹及び対照マウス（ｓｈａｍ）４匹の尿中のＤ−グルタミン酸濃度に対する各Ｄ−アミノ酸濃度の百分率（％Ｄ／Ｄ−Ｇｌｕ）を比較した表。Ｄ−アスパラギン酸は酸性Ｄ−アミノ酸なので、同様の代謝を受けると考えられるＤ−グルタミン酸濃度で補正後評価された。％Ｄ／Ｄ−Ｇｌｕでも、Ｄ−アスパラギン酸は対照マウス（ｓｈａｍ）よりも更年期モデルマウス（ＯＶＸ）が低く、有意差は、Ｓｔｕｄｅｎｔのｔ検定でＰが０．００６であった。
【図６−１】２×１０ ７ 個の肉腫細胞を移植されたＩＣＲ系雄６週齢マウスで、移植３週間後に外植された腫瘍の成長が確認された個体３匹のうち１匹目（Ｓ３）の尿中全アミノ酸光学異性体含量分析結果を示す表。グリシンは光学異性体が存在しないので、Ｌ体の欄に記載された。アミノ酸はすべてＮＢＤ−Ｆにより蛍光誘導体化され、本発明の全アミノ酸光学異性体含量分析装置を用いて解析された。トリプトファンはＮＢＤ誘導体の感度は低いため、今回の解析ではｎｄとされた。システインについては、空気酸化によりシスチンが生成するため、システインとしての含量は極めて低い。そこで今回の解析ではｎｄとされた。
【図６−２】２×１０ ７ 個の肉腫細胞を移植されたＩＣＲ系雄６週齢マウスで、移植３週間後に外植された腫瘍の成長が確認された個体３匹のうち２匹目（Ｓ４）の尿中全アミノ酸光学異性体含量分析結果を示す表。グリシンは光学異性体が存在しないので、Ｌ体の欄に記載された。アミノ酸はすべてＮＢＤ−Ｆにより蛍光誘導体化され、本発明の全アミノ酸光学異性体含量分析装置を用いて解析された。トリプトファンはＮＢＤ誘導体の感度は低いため、今回の解析ではｎｄとされた。システインについては、空気酸化によりシスチンが生成するため、システインとしての含量は極めて低い。そこで今回の解析ではｎｄとされた。
【図６−３】２×１０ ７ 個の肉腫細胞を移植されたＩＣＲ系雄６週齢マウスで、移植３週間後に外植された腫瘍の成長が確認された個体３匹のうち３匹目（Ｓ５）の尿中全アミノ酸光学異性体含量分析結果を示す表。グリシンは光学異性体が存在しないので、Ｌ体の欄に記載された。アミノ酸はすべてＮＢＤ−Ｆにより蛍光誘導体化され、本発明の全アミノ酸光学異性体含量分析装置を用いて解析された。トリプトファンはＮＢＤ誘導体の感度は低いため、今回の解析ではｎｄとされた。システインについては、空気酸化によりシスチンが生成するため、システインとしての含量は極めて低い。そこで今回の解析ではｎｄとされた。
【図６−４】肉腫移植マウスの対照実験として同環境で飼育されたＩＣＲ系雄９週齢マウス個体３匹のうち１匹目（Ｃ３）の尿中全アミノ酸光学異性体含量分析結果を示す表。グリシンは光学異性体が存在しないので、Ｌ体の欄に記載された。アミノ酸はすべてＮＢＤ−Ｆにより蛍光誘導体化され、本発明の全アミノ酸光学異性体含量分析装置を用いて解析された。トリプトファンはＮＢＤ誘導体の感度は低いため、今回の解析ではｎｄとされた。システインについては、空気酸化によりシスチンが生成するため、システインとしての含量は極めて低い。そこで今回の解析ではｎｄとされた。
【図６−５】肉腫移植マウスの対照実験として同環境で飼育されたＩＣＲ系雄９週齢マウス個体３匹のうち２匹目（Ｃ４）の尿中全アミノ酸光学異性体含量分析結果を示す表。グリシンは光学異性体が存在しないので、Ｌ体の欄に記載された。アミノ酸はすべてＮＢＤ−Ｆにより蛍光誘導体化され、本発明の全アミノ酸光学異性体含量分析装置を用いて解析された。トリプトファンはＮＢＤ誘導体の感度は低いため、今回の解析ではｎｄとされた。システインについては、空気酸化によりシスチンが生成するため、システインとしての含量は極めて低い。そこで今回の解析ではｎｄとされた。
【図６−６】肉腫移植マウスの対照実験として同環境で飼育されたＩＣＲ系雄９週齢マウス個体３匹のうち３匹目（Ｃ５）の尿中全アミノ酸光学異性体含量分析結果を示す表。グリシンは光学異性体が存在しないので、Ｌ体の欄に記載された。アミノ酸はすべてＮＢＤ−Ｆにより蛍光誘導体化され、本発明の全アミノ酸光学異性体含量分析装置を用いて解析された。トリプトファンはＮＢＤ誘導体の感度は低いため、今回の解析ではｎｄとされた。システインについては、空気酸化によりシスチンが生成するため、システインとしての含量は極めて低い。そこで今回の解析ではｎｄとされた。
【図６−７】肉腫移植マウス３匹（Ｓ３、Ｓ４及びＳ５）及び対照マウス（Ｃ３、Ｃ４及びＣ５）３匹の尿中のＤ−アミノ酸含量を比較した表。Ｄ−アルギニンは対照マウスよりも肉腫移植マウスが高く、有意差は、Ｓｔｕｄｅｎｔのｔ検定でＰが０．００８であった。
【図６−８】肉腫移植マウス３匹（Ｓ３、Ｓ４及びＳ５）及び対照マウス（Ｃ３、Ｃ４及びＣ５）３匹の尿中のＬ−アミノ酸含量を比較した表。
【図６−９】肉腫移植マウス３匹（Ｓ３、Ｓ４及びＳ５）及び対照マウス（Ｃ３、Ｃ４及びＣ５）３匹の尿中の各アミノ酸のＤ−体濃度及びＬ−体の濃度の和に対するＤ−体濃度の百分率（％Ｄ）を比較した表。肉腫移植マウスのセリンの％Ｄは対照マウスより低く、有意差は、Ｓｔｕｄｅｎｔのｔ検定でＰが０．０１６であった。
【図６−１０】肉腫移植マウス３匹（Ｓ３、Ｓ４及びＳ５）及び対照マウス（Ｃ３、Ｃ４及びＣ５）３匹の尿中の全Ｌ−アミノ酸の濃度の和に対する各Ｄ−アミノ酸濃度の百分率（％Ｄ／ｔｏｔａｌ  Ｌ）を比較した表。
【図６−１１】肉腫移植マウス３匹（Ｓ３、Ｓ４及びＳ５）及び対照マウス（Ｃ３、Ｃ４及びＣ５）３匹の尿中の全Ｄ−アミノ酸の濃度の和に対する各Ｄ−アミノ酸濃度の百分率（％Ｄ／ｔｏｔａｌ  Ｄ）を比較した表。Ｄ−アスパラギン及びＤ−アルギニンは対照マウスよりも肉腫移植マウスが高い傾向があり、Ｄ−アルギニンの有意差は、Ｓｔｕｄｅｎｔのｔ検定でＰが０．０３５であった。
【図６−１２】肉腫移植マウス３匹（Ｓ３、Ｓ４及びＳ５）及び対照マウス（Ｃ３、Ｃ４及びＣ５）３匹の尿中のＤ−アスパラギン濃度に対する各Ｄ−アミノ酸濃度の百分率（％Ｄ／Ｄ−Ａｓｎ）を比較した表。Ｄ−アスパラギンは哺乳類尿中に比較的高濃度に存在すること、及び、全Ｄ−アミノ酸濃度に対する比率が最も安定していたことのために、尿中濃度の補正の指標として用いられた。Ｄ−アルギニンは対照マウスよりも肉腫移植マウスが高い傾向があり、有意差は、Ｓｔｕｄｅｎｔのｔ検定でＰが０．０１６であった。
【図７−１】アルツハイマー病モデルマウス（アミロイドβ前駆体タンパク質高発現トランスジェニックマウスＴｇ２５７６ヘミ接合体雄８週齢マウス、以下、「ｈｅｍｉ」という。）３匹と、対照正常マウス（Ｃ５７ＢＬ、以下、「Ｗｉｌｄ」という。）３匹との尿中のＤ−セリン濃度（Ｄ−Ｓｅｒ）、Ｌ−セリン濃度（Ｌ−Ｓｅｒ）及び両方の合計（Ｓｅｒ）の平均値及び標準誤差の棒グラフ。縦軸は、濃度（ナノモル／ｍＬ）である。
【図７−２】アルツハイマー病モデルマウス（ｈｅｍｉ）３匹と、対照正常マウス（Ｗｉｌｄ）３匹との尿中の全セリン濃度に対するＤ−セリン濃度の百分率（％Ｄ）の平均値及び標準誤差の棒グラフ。縦軸は、％Ｄである。
【図７−３】アルツハイマー病モデルマウス（ｈｅｍｉ）３匹と、対照正常マウス（Ｗｉｌｄ）３匹との尿中のＤ−アロ−スレオニン濃度に対するＤ−セリンの相対比（Ｄ−Ｓｅｒ／Ｄ−ａｌｌｏ−Ｔｈｒ）又は尿中のＤ−アロ−イソロイシン濃度に対するＤ−セリンの相対比（Ｄ−Ｓｅｒ／Ｄ−ａｌｌｏ−Ｉｌｅ）のグラフ。尿中のＤ−アロ−スレオニン濃度に対するＤ−セリンの相対比も、尿中のＤ−アロ−イソロイシン濃度に対するＤ−セリンの相対比も、アルツハイマー病モデルマウスのほうが対照マウスよりも高く、有意差はＳｔｕｄｅｎｔのｔ検定でＰがともに０．０１未満であった。
【図７−４】アルツハイマー病モデルマウス（ｈｅｍｉ）３匹と、対照正常マウス（Ｗｉｌｄ）３匹との尿中のＤ−アラニン濃度（Ｄ−Ａｌａ）、Ｌ−アラニン濃度（Ｌ−Ａｌａ）及び両方の合計（Ａｌａ）の平均値及び標準誤差の棒グラフ。縦軸は、濃度（ナノモル／ｍＬ）である。尿中のＤ−アラニン濃度は、アルツハイマー病モデルマウスのほうが対照正常マウスより高く、有意差はＳｔｕｄｅｎｔのｔ検定でＰが０．０１未満であった。
【図７−５】アルツハイマー病モデルマウス（ｈｅｍｉ）３匹と、対照正常マウス（Ｗｉｌｄ）３匹との尿中の全アラニン濃度に対するＤ−アラニン濃度の百分率（％Ｄ）の平均値及び標準誤差の棒グラフ。縦軸は、％Ｄである。尿中の全アラニン濃度に対するＤ−アラニン濃度の百分率（％Ｄ）は、アルツハイマー病モデルマウスのほうが対照正常マウスより高く、有意差はＳｔｕｄｅｎｔのｔ検定でＰが０．０１未満であった。
【図７−６】アルツハイマー病モデルマウス（ｈｅｍｉ）３匹と、対照正常マウス（Ｗｉｌｄ）３匹との尿中のＤ−メチオニン濃度（Ｄ−Ｍｅｔ）、Ｌ−メチオニン濃度（Ｌ−Ｍｅｔ）及び両方の合計（Ｍｅｔ）の平均値及び標準誤差の棒グラフ。縦軸は、濃度（ナノモル／ｍＬ）である。尿中のＤ−Ｍｅｔ濃度は、アルツハイマー病モデルマウスのほうが対照正常マウスより高い傾向があった。
【図７−７】アルツハイマー病モデルマウス（ｈｅｍｉ）３匹と、対照正常マウス（Ｗｉｌｄ）３匹との尿中の全セリン濃度に対するＤ−メチオニン濃度の百分率（％Ｄ）の平均値及び標準誤差の棒グラフ。縦軸は、％Ｄである。
【図７−８】アルツハイマー病モデルマウス（ｈｅｍｉ）３匹と、対照正常マウス（Ｗｉｌｄ）３匹との尿中のＤ−アロ−スレオニン濃度に対するＤ−メチオニンの相対比（Ｄ−Ｍｅｔ／Ｄ−ａｌｌｏ−Ｔｈｒ）又は尿中のＤ−アロ−イソロイシン濃度に対するＤ−メチオニンの相対比（Ｄ−Ｍｅｔ／Ｄ−ａｌｌｏ−Ｉｌｅ）のグラフ。尿中のＤ−アロ−スレオニン濃度に対するＤ−メチオニンの相対比も、尿中のＤ−アロ−イソロイシン濃度に対するＤ−メチオニンの相対比も、アルツハイマー病モデルマウスのほうが対照マウスよりも高く、有意差はＳｔｕｄｅｎｔのｔ検定でＰがともに０．０５未満であった。
【図７−９】アルツハイマー病モデルマウス（ｈｅｍｉ）３匹と、対照正常マウス（Ｗｉｌｄ）３匹との尿中のＤ−ロイシン濃度（Ｄ−Ｌｅｕ）、Ｌ−ロイシン濃度（Ｌ−Ｌｅｕ）及び両方の合計（Ｌｅｕ）の平均値及び標準誤差の棒グラフ。縦軸は、濃度（ナノモル／ｍＬ）である。
【図７−１０】アルツハイマー病モデルマウス（ｈｅｍｉ）３匹と、対照正常マウス（Ｗｉｌｄ）３匹との尿中の全セリン濃度に対するＤ−ロイシン濃度の百分率（％Ｄ）の平均値及び標準誤差の棒グラフ。縦軸は、％Ｄである。
【図７−１１】アルツハイマー病モデルマウス（ｈｅｍｉ）３匹と、対照正常マウス（Ｗｉｌｄ）３匹との尿中のＤ−アロ−スレオニン濃度に対するＤ−ロイシンの相対比（Ｄ−Ｌｅｕ／Ｄ−ａｌｌｏ−Ｔｈｒ）又は尿中のＤ−アロ−イソロイシン濃度に対するＤ−ロイシンの相対比（Ｄ−Ｌｅｕ／Ｄ−ａｌｌｏ−Ｉｌｅ）のグラフ。尿中のＤ−アロ−スレオニン濃度に対するＤ−ロイシンの相対比も、尿中のＤ−アロ−イソロイシン濃度に対するＤ−ロイシンの相対比も、アルツハイマー病モデルマウスのほうが対照マウスよりも高く、有意差はＳｔｕｄｅｎｔのｔ検定でＰが、それぞれ、０．０５未満及び０．０１未満であった。
【図７−１２】アルツハイマー病モデルマウス（ｈｅｍｉ）３匹と、対照正常マウス（Ｗｉｌｄ）３匹との尿中のＤ−アスパラギン酸濃度（Ｄ−Ａｓｐ）、Ｌ−アスパラギン酸濃度（Ｌ−Ａｓｐ）及び両方の合計（Ａｓｐ）の平均値及び標準誤差の棒グラフ。縦軸は、濃度（ナノモル／ｍＬ）である。尿中のＤ−アスパラギン酸濃度は、アルツハイマー病モデルマウスのほうが対照正常マウスより低く、有意差はＳｔｕｄｅｎｔのｔ検定でＰが０．０５未満であった。
【図７−１３】アルツハイマー病モデルマウス（ｈｅｍｉ）３匹と、対照正常マウス（Ｗｉｌｄ）３匹との尿中の全アスパラギン酸濃度に対するＤ−アスパラギン酸濃度の百分率（％Ｄ）の平均値及び標準誤差の棒グラフ。縦軸は、％Ｄである。
【図７−１４】アルツハイマー病モデルマウス（ｈｅｍｉ）３匹と、対照正常マウス（Ｗｉｌｄ）３匹との尿中のＤ−フェニルアラニン濃度（Ｄ−Ｐｈｅ）、Ｌ−フェニルアラニン濃度（Ｌ−Ｐｈｅ）及び両方の合計（Ｐｈｅ）の平均値及び標準誤差の棒グラフ。縦軸は、濃度（ナノモル／ｍＬ）である。
【図７−１５】アルツハイマー病モデルマウス（ｈｅｍｉ）３匹と、対照正常マウス（Ｗｉｌｄ）３匹との尿中の全フェニルアラニン濃度に対するＤ−フェニルアラニン濃度の百分率（％Ｄ）の平均値及び標準誤差の棒グラフ。縦軸は、％Ｄである。
【図７−１６】アルツハイマー病モデルマウス（ｈｅｍｉ）３匹と、対照正常マウス（Ｗｉｌｄ）３匹との尿中のＤ−アロ−スレオニン濃度に対するＤ−フェニルアラニンの相対比（Ｄ−Ｐｈｅ／Ｄ−ａｌｌｏ−Ｔｈｒ）又は尿中のＤ−アロ−イソロイシン濃度に対するＤ−フェニルアラニンの相対比（Ｄ−Ｐｈｅ／Ｄ−ａｌｌｏ−Ｉｌｅ）のグラフ。尿中のＤ−アロ−イソロイシン濃度に対するＤ−フェニルアラニンの相対比は、アルツハイマー病モデルマウスのほうが対照マウスよりも高く、有意差はＳｔｕｄｅｎｔのｔ検定でＰが０．０５未満であった。
【図８−１】Ｄ−アミノ酸酸化酵素（ＤＡＯ）野生型マウス（ｄｄＹ／ＤＡＯ＋、以下、「ＤＡＯ＋／＋」という。）個体３匹のうち１匹目（ＤＡＯ＋／＋  １）の尿中全アミノ酸光学異性体含量分析結果を示す表。グリシンは光学異性体が存在しないので、Ｌ体の欄に記載された。アミノ酸はすべてＮＢＤ−Ｆにより蛍光誘導体化され、本発明の全アミノ酸光学異性体含量分析装置を用いて解析された。トリプトファンはＮＢＤ誘導体の感度は低いため、今回の解析ではｎｄとされた。システインについては、空気酸化によりシスチンが生成するため、システインとしての含量は極めて低い。そこで今回の解析ではｎｄとされた。
【図８−２】Ｄ−アミノ酸酸化酵素（ＤＡＯ）野生型マウス（ｄｄＹ／ＤＡＯ＋、以下、「ＤＡＯ＋／＋」という。）個体３匹のうち２匹目（ＤＡＯ＋／＋  ２）の尿中全アミノ酸光学異性体含量分析結果を示す表。グリシンは光学異性体が存在しないので、Ｌ体の欄に記載された。アミノ酸はすべてＮＢＤ−Ｆにより蛍光誘導体化され、本発明の全アミノ酸光学異性体含量分析装置を用いて解析された。トリプトファンはＮＢＤ誘導体の感度は低いため、今回の解析ではｎｄとされた。システインについては、空気酸化によりシスチンが生成するため、システインとしての含量は極めて低い。そこで今回の解析ではｎｄとされた。
【図８−３】Ｄ−アミノ酸酸化酵素（ＤＡＯ）野生型マウス（ｄｄＹ／ＤＡＯ＋、以下、「ＤＡＯ＋／＋」という。）個体３匹のうち３匹目（ＤＡＯ＋／＋  ３）の尿中全アミノ酸光学異性体含量分析結果を示す表。グリシンは光学異性体が存在しないので、Ｌ体の欄に記載された。アミノ酸はすべてＮＢＤ−Ｆにより蛍光誘導体化され、本発明の全アミノ酸光学異性体含量分析装置を用いて解析された。トリプトファンはＮＢＤ誘導体の感度は低いため、今回の解析ではｎｄとされた。システインについては、空気酸化によりシスチンが生成するため、システインとしての含量は極めて低い。そこで今回の解析ではｎｄとされた。
【図８−４】Ｄ−アミノ酸酸化酵素（ＤＡＯ）欠損マウス（ｄｄＹ／ＤＡＯ−、以下、「ＤＡＯ−／−」という。）個体３匹のうち１匹目（ＤＡＯ−／−  １）の尿中全アミノ酸光学異性体含量分析結果を示す表。グリシンは光学異性体が存在しないので、Ｌ体の欄に記載された。アミノ酸はすべてＮＢＤ−Ｆにより蛍光誘導体化され、本発明の全アミノ酸光学異性体含量分析装置を用いて解析された。トリプトファンはＮＢＤ誘導体の感度は低いため、今回の解析ではｎｄとされた。システインについては、空気酸化によりシスチンが生成するため、システインとしての含量は極めて低い。そこで今回の解析ではｎｄとされた。
【図８−５】Ｄ−アミノ酸酸化酵素（ＤＡＯ）欠損マウス（ｄｄＹ／ＤＡＯ−、以下、「ＤＡＯ−／−」という。）個体３匹のうち２匹目（ＤＡＯ−／−  ２）の尿中全アミノ酸光学異性体含量分析結果を示す表。グリシンは光学異性体が存在しないので、Ｌ体の欄に記載された。アミノ酸はすべてＮＢＤ−Ｆにより蛍光誘導体化され、本発明の全アミノ酸光学異性体含量分析装置を用いて解析された。トリプトファンはＮＢＤ誘導体の感度は低いため、今回の解析ではｎｄとされた。システインについては、空気酸化によりシスチンが生成するため、システインとしての含量は極めて低い。そこで今回の解析ではｎｄとされた。
【図８−６】Ｄ−アミノ酸酸化酵素（ＤＡＯ）欠損マウス（ｄｄＹ／ＤＡＯ−、以下、「ＤＡＯ−／−」という。）個体３匹のうち３匹目（ＤＡＯ−／−  ３）の尿中全アミノ酸光学異性体含量分析結果を示す表。グリシンは光学異性体が存在しないので、Ｌ体の欄に記載された。アミノ酸はすべてＮＢＤ−Ｆにより蛍光誘導体化され、本発明の全アミノ酸光学異性体含量分析装置を用いて解析された。トリプトファンはＮＢＤ誘導体の感度は低いため、今回の解析ではｎｄとされた。システインについては、空気酸化によりシスチンが生成するため、システインとしての含量は極めて低い。そこで今回の解析ではｎｄとされた。
【図８−７】Ｄ−アミノ酸酸化酵素（ＤＡＯ）野生型マウス３匹（ＤＡＯ＋／＋  １、ＤＡＯ＋／＋  ２及びＤＡＯ＋／＋  ３）と、Ｄ−アミノ酸酸化酵素（ＤＡＯ）欠損マウス３匹（ＤＡＯ−／−  １、ＤＡＯ−／−  ２及びＤＡＯ−／−  ３）と尿中のＤ−アミノ酸含量を比較した表。Ｄ−セリン、Ｄ−アロ−スレオニン、Ｄ−アラニン、Ｄ−プロリン、Ｄ−ロイシン及びＤ−フェニルアラニンはＤ−アミノ酸酸化酵素（ＤＡＯ）野生型マウスよりもＤＡＯ酵素欠損マウスが有意に高かった。
【図８−８】Ｄ−アミノ酸酸化酵素（ＤＡＯ）野生型マウス３匹（ＤＡＯ＋／＋  １、ＤＡＯ＋／＋  ２及びＤＡＯ＋／＋  ３）と、Ｄ−アミノ酸酸化酵素（ＤＡＯ）欠損マウス３匹（ＤＡＯ−／−  １、ＤＡＯ−／−  ２及びＤＡＯ−／−  ３）と尿中のＬ−アミノ酸含量を比較した表。
【図８−９】Ｄ−アミノ酸酸化酵素（ＤＡＯ）野生型マウス３匹（ＤＡＯ＋／＋  １、ＤＡＯ＋／＋  ２及びＤＡＯ＋／＋  ３）と、Ｄ−アミノ酸酸化酵素（ＤＡＯ）欠損マウス３匹（ＤＡＯ−／−  １、ＤＡＯ−／−  ２及びＤＡＯ−／−  ３）と尿中の各アミノ酸のＤ−体濃度及びＬ−体の濃度の和に対するＤ−体濃度の百分率（％Ｄ）を比較した表。Ｄ−セリン、Ｄ−アロ−スレオニン、Ｄ−アラニン、Ｄ−プロリン、Ｄ−ロイシン及びＤ−フェニルアラニンはＤ−アミノ酸酸化酵素（ＤＡＯ）野生型マウスよりもＤＡＯ酵素欠損マウスが有意に高かった。
【図８−１０】Ｄ−アミノ酸酸化酵素（ＤＡＯ）野生型マウス３匹（ＤＡＯ＋／＋  １、ＤＡＯ＋／＋  ２及びＤＡＯ＋／＋  ３）と、Ｄ−アミノ酸酸化酵素（ＤＡＯ）欠損マウス３匹（ＤＡＯ−／−  １、ＤＡＯ−／−  ２及びＤＡＯ−／−  ３）と尿中の全Ｌ−アミノ酸の濃度の和に対する各Ｄ−アミノ酸濃度の百分率（％Ｄ／ｔｏｔａｌ  Ｌ）を比較した表。Ｄ−セリン、Ｄ−アロ−スレオニン、Ｄ−アラニン、Ｄ−ロイシン及びＤ−フェニルアラニンはＤ−アミノ酸酸化酵素（ＤＡＯ）野生型マウスよりもＤＡＯ酵素欠損マウスが有意に高かった。
【図８−１１】Ｄ−アミノ酸酸化酵素（ＤＡＯ）野生型マウス３匹（ＤＡＯ＋／＋  １、ＤＡＯ＋／＋  ２及びＤＡＯ＋／＋  ３）と、Ｄ−アミノ酸酸化酵素（ＤＡＯ）欠損マウス３匹（ＤＡＯ−／−  １、ＤＡＯ−／−  ２及びＤＡＯ−／−  ３）と尿中の全Ｄ−アミノ酸の濃度の和に対する各Ｄ−アミノ酸濃度の百分率（％Ｄ／ｔｏｔａｌ  Ｄ）を比較した表。
【図８−１２】Ｄ−アミノ酸酸化酵素（ＤＡＯ）野生型マウス３匹（ＤＡＯ＋／＋  １、ＤＡＯ＋／＋  ２及びＤＡＯ＋／＋  ３）と、Ｄ−アミノ酸酸化酵素（ＤＡＯ）欠損マウス３匹（ＤＡＯ−／−  １、ＤＡＯ−／−  ２及びＤＡＯ−／−  ３）と尿中のＤ−アスパラギン濃度に対する各Ｄ−アミノ酸濃度の百分率（％Ｄ／Ｄ−Ａｓｎ）を比較した表。Ｄ−セリン、Ｄ−アロ−スレオニン、Ｄ−アラニン、Ｄ−プロリン、Ｄ−ロイシン及びＤ−フェニルアラニンはＤ−アミノ酸酸化酵素（ＤＡＯ）野生型マウスよりもＤＡＯ酵素欠損マウスが有意に高かった。
【図９−１】Ｄ−アスパラギン酸酸化酵素（ＤＤＯ）野生型マウス（ＤＤＯ＋）個体４匹のうち１匹目の尿中全アミノ酸光学異性体含量分析結果を示す波形図。
【図９−２】Ｄ−アスパラギン酸酸化酵素（ＤＤＯ）野生型マウス（ＤＤＯ＋）個体４匹のうち２匹目の尿中全アミノ酸光学異性体含量分析結果を示す波形図。
【図９−３】Ｄ−アスパラギン酸酸化酵素（ＤＤＯ）野生型マウス（ＤＤＯ＋）個体４匹のうち３匹目の尿中全アミノ酸光学異性体含量分析結果を示す波形図。
【図９−４】Ｄ−アスパラギン酸酸化酵素（ＤＤＯ）野生型マウス（ＤＤＯ＋）個体４匹のうち４匹目の尿中全アミノ酸光学異性体含量分析結果を示す波形図。
【図９−５】Ｄ−アスパラギン酸酸化酵素（ＤＤＯ）欠損マウス（ＤＤＯ−）個体４匹のうち１匹目の尿中全アミノ酸光学異性体含量分析結果を示す波形図。
【図９−６】Ｄ−アスパラギン酸酸化酵素（ＤＤＯ）欠損マウス（ＤＤＯ−）個体４匹のうち２匹目の尿中全アミノ酸光学異性体含量分析結果を示す波形図。
【図９−７】Ｄ−アスパラギン酸酸化酵素（ＤＤＯ）欠損マウス（ＤＤＯ−）個体４匹のうち３匹目の尿中全アミノ酸光学異性体含量分析結果を示す波形図。
【図９−８】Ｄ−アスパラギン酸酸化酵素（ＤＤＯ）欠損マウス（ＤＤＯ−）個体４匹のうち４匹目の尿中全アミノ酸光学異性体含量分析結果を示す波形図。
【図１０−１】フェニルケトン尿症疾患モデルマウス（フェニルアラニン水酸化酵素（ＰＡＨ）突然変異マウス、Ｐａｈ ｅｎｕ２ ／Ｐａｈ ｅｎｕ２ 、黒塗り）及び対照マウス（白塗り）各５匹の血漿中のＤ−バリン濃度（ナノモル／ｍＬ）及び標準誤差を表す棒グラフ。
【図１０−２】フェニルケトン尿症疾患モデルマウス（フェニルアラニン水酸化酵素（ＰＡＨ）突然変異マウス、Ｐａｈ ｅｎｕ２ ／Ｐａｈ ｅｎｕ２ 、黒塗り）及び対照マウス（白塗り）各５匹の血漿中のＤ−アロ−イソロイシン濃度（ナノモル／ｍＬ）及び標準誤差を表す棒グラフ。
【図１０−３】フェニルケトン尿症疾患モデルマウス（フェニルアラニン水酸化酵素（ＰＡＨ）突然変異マウス、Ｐａｈ ｅｎｕ２ ／Ｐａｈ ｅｎｕ２ 、黒塗り）及び対照マウス（白塗り）各５匹の血漿中のＤ−イソロイシン濃度（ナノモル／ｍＬ）及び標準誤差を表す棒グラフ。
【図１０−４】フェニルケトン尿症疾患モデルマウス（フェニルアラニン水酸化酵素（ＰＡＨ）突然変異マウス、Ｐａｈ ｅｎｕ２ ／Ｐａｈ ｅｎｕ２ 、黒塗り）及び対照マウス（白塗り）各５匹の血漿中のＤ−ロイシン濃度（ナノモル／ｍＬ）及び標準誤差を表す棒グラフ。
【図１０−５】フェニルケトン尿症疾患モデルマウス（フェニルアラニン水酸化酵素（ＰＡＨ）突然変異マウス、Ｐａｈ ｅｎｕ２ ／Ｐａｈ ｅｎｕ２ 、黒塗り）及び対照マウス（白塗り）各５匹の血漿中のＤ−フェニルアラニン濃度（ナノモル／ｍＬ）及び標準誤差を表す棒グラフ。有意差は、ｐが０．０１未満。
【図１０−６】フェニルケトン尿症疾患モデルマウス（フェニルアラニン水酸化酵素（ＰＡＨ）突然変異マウス、Ｐａｈ ｅｎｕ２ ／Ｐａｈ ｅｎｕ２ 、黒塗り）及び対照マウス（白塗り）各５匹の血漿中のＬ−バリン濃度（ナノモル／ｍＬ）及び標準誤差を表す棒グラフ。
【図１０−７】フェニルケトン尿症疾患モデルマウス（フェニルアラニン水酸化酵素（ＰＡＨ）突然変異マウス、Ｐａｈ ｅｎｕ２ ／Ｐａｈ ｅｎｕ２ 、黒塗り）及び対照マウス（白塗り）各５匹の血漿中のＬ−アロ−イソロイシン濃度（ナノモル／ｍＬ）及び標準誤差を表す棒グラフ。
【図１０−８】フェニルケトン尿症疾患モデルマウス（フェニルアラニン水酸化酵素（ＰＡＨ）突然変異マウス、Ｐａｈ ｅｎｕ２ ／Ｐａｈ ｅｎｕ２ 、黒塗り）及び対照マウス（白塗り）各５匹の血漿中のＬ−イソロイシン濃度（ナノモル／ｍＬ）及び標準誤差を表す棒グラフ。
【図１０−９】フェニルケトン尿症疾患モデルマウス（フェニルアラニン水酸化酵素（ＰＡＨ）突然変異マウス、Ｐａｈ ｅｎｕ２ ／Ｐａｈ ｅｎｕ２ 、黒塗り）及び対照マウス（白塗り）各５匹の血漿中のＬ−ロイシン濃度（ナノモル／ｍＬ）及び標準誤差を表す棒グラフ。
【図１０−１０】フェニルケトン尿症疾患モデルマウス（フェニルアラニン水酸化酵素（ＰＡＨ）突然変異マウス、Ｐａｈ ｅｎｕ２ ／Ｐａｈ ｅｎｕ２ 、黒塗り）及び対照マウス（白塗り）各５匹の血漿中のＬ−フェニルアラニン濃度（ナノモル／ｍＬ）及び標準誤差を表す棒グラフ。有意差は、ｐが０．０１未満。
【図１０−１１】フェニルケトン尿症疾患モデルマウス（フェニルアラニン水酸化酵素（ＰＡＨ）突然変異マウス、Ｐａｈ ｅｎｕ２ ／Ｐａｈ ｅｎｕ２ 、黒塗り）及び対照マウス（白塗り）各５匹の尿中のＤ−バリン濃度（ナノモル／ｍＬ）及び標準誤差を表す棒グラフ。
【図１０−１２】フェニルケトン尿症疾患モデルマウス（フェニルアラニン水酸化酵素（ＰＡＨ）突然変異マウス、Ｐａｈ ｅｎｕ２ ／Ｐａｈ ｅｎｕ２ 、黒塗り）及び対照マウス（白塗り）各５匹の尿中のＤ−アロ−イソロイシン濃度（ナノモル／ｍＬ）及び標準誤差を表す棒グラフ。
【図１０−１３】フェニルケトン尿症疾患モデルマウス（フェニルアラニン水酸化酵素（ＰＡＨ）突然変異マウス、Ｐａｈ ｅｎｕ２ ／Ｐａｈ ｅｎｕ２ 、黒塗り）及び対照マウス（白塗り）各５匹の尿中のＤ−イソロイシン濃度（ナノモル／ｍＬ）及び標準誤差を表す棒グラフ。
【図１０−１４】フェニルケトン尿症疾患モデルマウス（フェニルアラニン水酸化酵素（ＰＡＨ）突然変異マウス、Ｐａｈ ｅｎｕ２ ／Ｐａｈ ｅｎｕ２ 、黒塗り）及び対照マウス（白塗り）各５匹の尿中のＤ−ロイシン濃度（ナノモル／ｍＬ）及び標準誤差を表す棒グラフ。
【図１０−１５】フェニルケトン尿症疾患モデルマウス（フェニルアラニン水酸化酵素（ＰＡＨ）突然変異マウス、Ｐａｈ ｅｎｕ２ ／Ｐａｈ ｅｎｕ２ 、黒塗り）及び対照マウス（白塗り）各５匹の尿中のＤ−フェニルアラニン濃度（ナノモル／ｍＬ）及び標準誤差を表す棒グラフ。
【図１０−１６】フェニルケトン尿症疾患モデルマウス（フェニルアラニン水酸化酵素（ＰＡＨ）突然変異マウス、Ｐａｈ ｅｎｕ２ ／Ｐａｈ ｅｎｕ２ 、黒塗り）及び対照マウス（白塗り）各５匹の尿中のＬ−バリン濃度（ナノモル／ｍＬ）及び標準誤差を表す棒グラフ。
【図１０−１７】フェニルケトン尿症疾患モデルマウス（フェニルアラニン水酸化酵素（ＰＡＨ）突然変異マウス、Ｐａｈ ｅｎｕ２ ／Ｐａｈ ｅｎｕ２ 、黒塗り）及び対照マウス（白塗り）各５匹の尿中のＬ−アロ−イソロイシン濃度（ナノモル／ｍＬ）及び標準誤差を表す棒グラフ。
【図１０−１８】フェニルケトン尿症疾患モデルマウス（フェニルアラニン水酸化酵素（ＰＡＨ）突然変異マウス、Ｐａｈ ｅｎｕ２ ／Ｐａｈ ｅｎｕ２ 、黒塗り）及び対照マウス（白塗り）各５匹の尿中のＬ−イソロイシン濃度（ナノモル／ｍＬ）及び標準誤差を表す棒グラフ。
【図１０−１９】フェニルケトン尿症疾患モデルマウス（フェニルアラニン水酸化酵素（ＰＡＨ）突然変異マウス、Ｐａｈ ｅｎｕ２ ／Ｐａｈ ｅｎｕ２ 、黒塗り）及び対照マウス（白塗り）各５匹の尿中のＬ−ロイシン濃度（ナノモル／ｍＬ）及び標準誤差を表す棒グラフ。
【図１０−２０】フェニルケトン尿症疾患モデルマウス（フェニルアラニン水酸化酵素（ＰＡＨ）突然変異マウス、Ｐａｈ ｅｎｕ２ ／Ｐａｈ ｅｎｕ２ 、黒塗り）及び対照マウス（白塗り）各５匹の尿中のＬ−フェニルアラニン濃度（ナノモル／ｍＬ）及び標準誤差を表す棒グラフ。有意差は、ｐが０．０１未満。
【図１１−１】メープルシロップ尿症マウス（分岐鎖アルファ−ケト酸脱水素酵素（ＢＣＫＤＨ）突然変異マウス、Ｄｂｔ ｔｍ１Ｇｅｈ ／Ｄｂｔ ｔｍ１Ｇｅｈ 、黒塗り）及び対照マウス（白塗り）各５匹の血漿中のＤ−バリン濃度（ナノモル／ｍＬ）及び標準誤差を表す棒グラフ。
【図１１−２】メープルシロップ尿症マウス（分岐鎖アルファ−ケト酸脱水素酵素（ＢＣＫＤＨ）突然変異マウス、Ｄｂｔ ｔｍ１Ｇｅｈ ／Ｄｂｔ ｔｍ１Ｇｅｈ 、黒塗り）及び対照マウス（白塗り）各５匹の血漿中のＤ−アロ−イソロイシン濃度（ナノモル／ｍＬ）及び標準誤差を表す棒グラフ。
【図１１−３】メープルシロップ尿症マウス（分岐鎖アルファ−ケト酸脱水素酵素（ＢＣＫＤＨ）突然変異マウス、Ｄｂｔ ｔｍ１Ｇｅｈ ／Ｄｂｔ ｔｍ１Ｇｅｈ 、黒塗り）及び対照マウス（白塗り）各５匹の血漿中のＤ−イソロイシン濃度（ナノモル／ｍＬ）及び標準誤差を表す棒グラフ。有意差は、ｐが０．０５未満。
【図１１−４】メープルシロップ尿症マウス（分岐鎖アルファ−ケト酸脱水素酵素（ＢＣＫＤＨ）突然変異マウス、Ｄｂｔ ｔｍ１Ｇｅｈ ／Ｄｂｔ ｔｍ１Ｇｅｈ 、黒塗り）及び対照マウス（白塗り）各５匹の血漿中のＤ−ロイシン濃度（ナノモル／ｍＬ）及び標準誤差を表す棒グラフ。
【図１１−５】メープルシロップ尿症マウス（分岐鎖アルファ−ケト酸脱水素酵素（ＢＣＫＤＨ）突然変異マウス、Ｄｂｔ ｔｍ１Ｇｅｈ ／Ｄｂｔ ｔｍ１Ｇｅｈ 、黒塗り）及び対照マウス（白塗り）各５匹の血漿中のＤ−フェニルアラニン濃度（ナノモル／ｍＬ）及び標準誤差を表す棒グラフ。
【図１１−６】メープルシロップ尿症マウス（分岐鎖アルファ−ケト酸脱水素酵素（ＢＣＫＤＨ）突然変異マウス、Ｄｂｔ ｔｍ１Ｇｅｈ ／Ｄｂｔ ｔｍ１Ｇｅｈ 、黒塗り）及び対照マウス（白塗り）各５匹の血漿中のＬ−バリン濃度（ナノモル／ｍＬ）及び標準誤差を表す棒グラフ。有意差は、ｐが０．０１未満。
【図１１−７】メープルシロップ尿症マウス（分岐鎖アルファ−ケト酸脱水素酵素（ＢＣＫＤＨ）突然変異マウス、Ｄｂｔ ｔｍ１Ｇｅｈ ／Ｄｂｔ ｔｍ１Ｇｅｈ 、黒塗り）及び対照マウス（白塗り）各５匹の血漿中のＬ−アロ−イソロイシン濃度（ナノモル／ｍＬ）及び標準誤差を表す棒グラフ。有意差は、ｐが０．０１未満。
【図１１−８】メープルシロップ尿症マウス（分岐鎖アルファ−ケト酸脱水素酵素（ＢＣＫＤＨ）突然変異マウス、Ｄｂｔ ｔｍ１Ｇｅｈ ／Ｄｂｔ ｔｍ１Ｇｅｈ 、黒塗り）及び対照マウス（白塗り）各５匹の血漿中のＬ−イソロイシン濃度（ナノモル／ｍＬ）及び標準誤差を表す棒グラフ。有意差は、ｐが０．０１未満。
【図１１−９】メープルシロップ尿症マウス（分岐鎖アルファ−ケト酸脱水素酵素（ＢＣＫＤＨ）突然変異マウス、Ｄｂｔ ｔｍ１Ｇｅｈ ／Ｄｂｔ ｔｍ１Ｇｅｈ 、黒塗り）及び対照マウス（白塗り）各５匹の血漿中のＬ−ロイシン濃度（ナノモル／ｍＬ）及び標準誤差を表す棒グラフ。有意差は、ｐが０．０５未満。
【図１１−１０】メープルシロップ尿症マウス（分岐鎖アルファ−ケト酸脱水素酵素（ＢＣＫＤＨ）突然変異マウス、Ｄｂｔ ｔｍ１Ｇｅｈ ／Ｄｂｔ ｔｍ１Ｇｅｈ 、黒塗り）及び対照マウス（白塗り）各５匹の血漿中のＬ−フェニルアラニン濃度（ナノモル／ｍＬ）及び標準誤差を表す棒グラフ。
【図１１−１１】メープルシロップ尿症マウス中間型（分岐鎖アルファ−ケト酸脱水素酵素（ＢＣＫＤＨ）突然変異マウス、＋／Ｄｂｔ ｔｍ１Ｇｅｈ 、灰色塗り）及び対照マウス（白塗り）各５匹の血漿中のＤ−イソロイシン濃度（ナノモル／ｍＬ）及び標準誤差を表す棒グラフ。有意差は、ｐが０．０１未満。
【図１１−１２】メープルシロップ尿症マウス中間型（分岐鎖アルファ−ケト酸脱水素酵素（ＢＣＫＤＨ）突然変異マウス、＋／Ｄｂｔ ｔｍ１Ｇｅｈ 、灰色塗り）及び対照マウス（白塗り）各５匹の血漿中のＬ−バリン濃度（ナノモル／ｍＬ）及び標準誤差を表す棒グラフ。
【図１１−１３】メープルシロップ尿症マウス中間型（分岐鎖アルファ−ケト酸脱水素酵素（ＢＣＫＤＨ）突然変異マウス、＋／Ｄｂｔ ｔｍ１Ｇｅｈ 、灰色塗り）及び対照マウス（白塗り）各５匹の血漿中のＬ−アロ−イソロイシン濃度（ナノモル／ｍＬ）及び標準誤差を表す棒グラフ。
【図１１−１４】メープルシロップ尿症マウス中間型（分岐鎖アルファ−ケト酸脱水素酵素（ＢＣＫＤＨ）突然変異マウス、＋／Ｄｂｔ ｔｍ１Ｇｅｈ 、灰色塗り）及び対照マウス（白塗り）各５匹の血漿中のＬ−イソロイシン濃度（ナノモル／ｍＬ）及び標準誤差を表す棒グラフ。
【図１１−１５】メープルシロップ尿症マウス中間型（分岐鎖アルファ−ケト酸脱水素酵素（ＢＣＫＤＨ）突然変異マウス、＋／Ｄｂｔ ｔｍ１Ｇｅｈ 、灰色塗り）及び対照マウス（白塗り）各５匹の血漿中のＬ−ロイシン濃度（ナノモル／ｍＬ）及び標準誤差を表す棒グラフ。
【図１２−１】メープルシロップ尿症マウス（分岐鎖アルファ−ケト酸脱水素酵素（ＢＣＫＤＨ）突然変異マウス、Ｄｂｔ ｔｍ１Ｇｅｈ ／Ｄｂｔ ｔｍ１Ｇｅｈ 、黒塗り）及び対照マウス（白塗り）各５匹の尿中のＤ−バリン濃度（ナノモル／ｍＬ）及び標準誤差を表す棒グラフ。
【図１２−２】メープルシロップ尿症マウス（分岐鎖アルファ−ケト酸脱水素酵素（ＢＣＫＤＨ）突然変異マウス、Ｄｂｔ ｔｍ１Ｇｅｈ ／Ｄｂｔ ｔｍ１Ｇｅｈ 、黒塗り）及び対照マウス（白塗り）各５匹の尿中のＤ−アロ−イソロイシン濃度（ナノモル／ｍＬ）及び標準誤差を表す棒グラフ。
【図１２−３】メープルシロップ尿症マウス（分岐鎖アルファ−ケト酸脱水素酵素（ＢＣＫＤＨ）突然変異マウス、Ｄｂｔ ｔｍ１Ｇｅｈ ／Ｄｂｔ ｔｍ１Ｇｅｈ 、黒塗り）及び対照マウス（白塗り）各５匹の尿中のＤ−イソロイシン濃度（ナノモル／ｍＬ）及び標準誤差を表す棒グラフ。有意差は、ｐが０．０５未満。
【図１２−４】メープルシロップ尿症マウス（分岐鎖アルファ−ケト酸脱水素酵素（ＢＣＫＤＨ）突然変異マウス、Ｄｂｔ ｔｍ１Ｇｅｈ ／Ｄｂｔ ｔｍ１Ｇｅｈ 、黒塗り）及び対照マウス（白塗り）各５匹の尿中のＤ−ロイシン濃度（ナノモル／ｍＬ）及び標準誤差を表す棒グラフ。
【図１２−５】メープルシロップ尿症マウス（分岐鎖アルファ−ケト酸脱水素酵素（ＢＣＫＤＨ）突然変異マウス、Ｄｂｔ ｔｍ１Ｇｅｈ ／Ｄｂｔ ｔｍ１Ｇｅｈ 、黒塗り）及び対照マウス（白塗り）各５匹の尿中のＤ−フェニルアラニン濃度（ナノモル／ｍＬ）及び標準誤差を表す棒グラフ。
【図１２−６】メープルシロップ尿症マウス（分岐鎖アルファ−ケト酸脱水素酵素（ＢＣＫＤＨ）突然変異マウス、Ｄｂｔ ｔｍ１Ｇｅｈ ／Ｄｂｔ ｔｍ１Ｇｅｈ 、黒塗り）及び対照マウス（白塗り）各５匹の尿中のＬ−バリン濃度（ナノモル／ｍＬ）及び標準誤差を表す棒グラフ。有意差は、ｐが０．０１未満。
【図１２−７】メープルシロップ尿症マウス（分岐鎖アルファ−ケト酸脱水素酵素（ＢＣＫＤＨ）突然変異マウス、Ｄｂｔ ｔｍ１Ｇｅｈ ／Ｄｂｔ ｔｍ１Ｇｅｈ 、黒塗り）及び対照マウス（白塗り）各５匹の尿中のＬ−アロ−イソロイシン濃度（ナノモル／ｍＬ）及び標準誤差を表す棒グラフ。有意差は、ｐが０．０１未満。
【図１２−８】メープルシロップ尿症マウス（分岐鎖アルファ−ケト酸脱水素酵素（ＢＣＫＤＨ）突然変異マウス、Ｄｂｔ ｔｍ１Ｇｅｈ ／Ｄｂｔ ｔｍ１Ｇｅｈ 、黒塗り）及び対照マウス（白塗り）各５匹の尿中のＬ−イソロイシン濃度（ナノモル／ｍＬ）及び標準誤差を表す棒グラフ。有意差は、ｐが０．０５未満。
【図１２−９】メープルシロップ尿症マウス（分岐鎖アルファ−ケト酸脱水素酵素（ＢＣＫＤＨ）突然変異マウス、Ｄｂｔ ｔｍ１Ｇｅｈ ／Ｄｂｔ ｔｍ１Ｇｅｈ 、黒塗り）及び対照マウス（白塗り）各５匹の尿中のＬ−ロイシン濃度（ナノモル／ｍＬ）及び標準誤差を表す棒グラフ。有意差は、ｐが０．０１未満。
【図１２−１０】メープルシロップ尿症マウス（分岐鎖アルファ−ケト酸脱水素酵素（ＢＣＫＤＨ）突然変異マウス、Ｄｂｔ ｔｍ１Ｇｅｈ ／Ｄｂｔ ｔｍ１Ｇｅｈ 、黒塗り）及び対照マウス（白塗り）各５匹の尿中のＬ−フェニルアラニン濃度（ナノモル／ｍＬ）及び標準誤差を表す棒グラフ。
【図１２−１１】メープルシロップ尿症マウス中間型（分岐鎖アルファ−ケト酸脱水素酵素（ＢＣＫＤＨ）突然変異マウス、＋／Ｄｂｔ ｔｍ１Ｇｅｈ 、灰色塗り）及び対照マウス（白塗り）各５匹の尿中のＤ−イソロイシン濃度（ナノモル／ｍＬ）及び標準誤差を表す棒グラフ。有意差は、ｐが０．０５未満。
【図１２−１２】メープルシロップ尿症マウス中間型（分岐鎖アルファ−ケト酸脱水素酵素（ＢＣＫＤＨ）突然変異マウス、＋／Ｄｂｔ ｔｍ１Ｇｅｈ 、灰色塗り）及び対照マウス（白塗り）各５匹の尿中のＬ−バリン濃度（ナノモル／ｍＬ）及び標準誤差を表す棒グラフ。
【図１２−１３】メープルシロップ尿症マウス中間型（分岐鎖アルファ−ケト酸脱水素酵素（ＢＣＫＤＨ）突然変異マウス、＋／Ｄｂｔ ｔｍ１Ｇｅｈ 、灰色塗り）及び対照マウス（白塗り）各５匹の尿中のＬ−アロ−イソロイシン濃度（ナノモル／ｍＬ）及び標準誤差を表す棒グラフ。
【図１２−１４】メープルシロップ尿症マウス中間型（分岐鎖アルファ−ケト酸脱水素酵素（ＢＣＫＤＨ）突然変異マウス、＋／Ｄｂｔ ｔｍ１Ｇｅｈ 、灰色塗り）及び対照マウス（白塗り）各５匹の尿中のＬ−イソロイシン濃度（ナノモル／ｍＬ）及び標準誤差を表す棒グラフ。
【図１２−１５】メープルシロップ尿症マウス中間型（分岐鎖アルファ−ケト酸脱水素酵素（ＢＣＫＤＨ）突然変異マウス、＋／Ｄｂｔ ｔｍ１Ｇｅｈ 、灰色塗り）及び対照マウス（白塗り）各５匹の尿中のＬ−ロイシン濃度（ナノモル／ｍＬ）及び標準誤差を表す棒グラフ。
【図１３−１】各種疾患患者のそれぞれ最初のサンプルについてのＤ−アミノ酸の分析結果をまとめた追加の表。
【図１３−２】各種疾患患者のそれぞれ最初のサンプルについてのＬ−アミノ酸の分析結果をまとめた追加の表。
【発明を実施するための形態】
【００３８】
以下に説明する本発明の実施例は例示のみを目的とし、本発明の技術的範囲を限定するものではない。本発明の技術的範囲は請求の範囲の記載によってのみ限定される。本発明の趣旨を逸脱しないことを条件として、本発明の変更、例えば、本発明の構成要件の追加、削除及び置換を行うことができる。
【００３９】
以下の実施例は、アメリカ国立衛生研究所（Ｎａｔｉｏｎａｌ  Ｉｎｓｔｉｔｕｔｅｓ
ｏｆ  Ｈｅａｌｔｈ（ＮＩＨ））のガイドラインに従って資生堂リサーチセンターの倫理委員会によって承認された後に実施された。
【実施例１】
【００４０】
各種疾患患者由来のサンプルのアミノ酸立体異性体の全分析（１）
１．材料及び方法
（１）サンプル
健常人及び各種疾患由来の血清サンプルは、米国バイオサーブ社（ＢｉｏＳｅｒｖｅ  Ｂｉｏｔｅｃｈｎｏｌｏｇｉｅｓ，  Ｌｔｄ、米国、メリーランド州、Ｂｅｌｔｓｖｉｌｌｅ）から入手された。前記サンプルは、現在バイオサーブ社に買収されたＧｅｎｏｍｉｃＣｏｌｌａｂｏｒａｔｉｖｅ  Ｉｎｃ．社によって採取された。採血は患者の医師による管理の下で行われ、米国の医療保険の相互運用性及び説明責任に関する法律（ＨＩＰＡＡ）に沿った書類による採血者の同意が確認済みである。今回の分析に用いられたサンプルの提供者のうち健常者は、男女各４名全員が５０歳の白人で、検討対象疾患の既往歴のない者が選ばれた。腎臓病患者は糖尿病を併発していない者が選ばれた。認知症患者は、アルツハイマー病協会による７段階の重症度のステージ５（日々の生活に他人の補助が必要となり始める段階）と診断された男性４名が選ばれた。大腸がん患者はステージＩＩと診断された男性４名が選ばれた。乳がん患者は、片側のみで発生しステージＩＩと診断された女性４名が選ばれた。前立腺がんはステージＩＩと診断され、ホルモン療法及び化学療法を受けていない男性が選ばれた。肝障害患者は、片側のみで発生しステージＩＩと診断された女性が選ばれた。骨粗鬆症患者は女性が選ばれた。卵巣がん患者はステージＩＩの女性が選ばれた。今回の分析に用いられたサンプルの提供者には喫煙者は除外された。
【００４１】
（２）アミノ酸立体異性体の全分析
前記サンプルは、財津らが開発したＤ、Ｌ−アミノ酸一斉高感度分析システム（特許第４２９１６２８号）によるアミノ酸立体異性体の全分析に供された。各アミノ酸の分析条件の詳細は、Ｈａｍａｓｅ  Ｋ．ら、Ｊ．Ｃｈｒｏｍａｔｏｇｒ．Ａ，  １１４３：１０５（２００７）、ＨａｍａｓｅＫ．、ら、Ｊ．Ｃｈｒｏｍａｔｏｇｒ．Ａ，  １２１７：１０５６（２０１０）、ＭｉｙｏｓｈｉＹ．、ら、Ｊ．Ｃｈｒｏｍａｔｏｇｒ．Ｂ，  ８７９：３１８４（２０１１）に説明される。簡潔には、サンプルは、その２０倍の容積のメタノール中で、４°Ｃ、３，５００ｒｐｍ、２分間マイクロホモジナイジングシステム（Ｍｉｃｒｏ  Ｓｍａｓｈ  ＭＳ−１００Ｒ、株式会社トミー精工）でホモジナイズされ、２０，４００×ｇで１０分間遠心された。遠心上清１０μＬは、４０°Ｃで減圧乾燥された。残渣に２０μＬの２００ｍＭホウ酸ナトリウムバッファー（ｐＨ８．０）と、４０ｍＭ  ＮＢＤ−Ｆ（４−フルオロ−７−ニトロ−２，１，３−ベンゾオキサジアゾール、東京化成工業株式会社）の無水シアン化メチル溶液の５μＬとが添加され、６０°Ｃ、２分間加熱された。反応後、７５μＬの２％（ｖ／ｖ）トリフルオロ酢酸水溶液が添加された。この混合液の２μＬがＨＰＬＣシステム（ＮＡＮＯＳＰＡＣＥ  ＳＩ−２、株式会社資生堂、Ｓａｓａｂｅ，Ｊ．ら、Ｐｒｏｃ．Ｎａｔｌ．Ａｃａｄ．Ｓｃｉ．、１０９：６２７（２０１２）の補足情報を参照せよ。）に供された。簡潔には、逆相分離用分析カラムは、４０°Ｃに保温された自社製のモノリシックＯＤＳカラム（内径７５９ｍｍ×０．５３ｍｍ、石英ガラス毛管に装填）が用いられた。移動相は、シアン化メチル−トリフルオロ酢酸−水（容積比５：０．０５：９５）が用いられた。流速は毎分３５μＬであった。逆相分離の後、１５０μＬループが装着されたカラム切り替えバルブを経由して、目的のＮＢＤ化アミノ酸分画は自動的にエナンチオ選択性カラムに移された。エナンチオマー分離には、キラルセレクターとして（Ｓ）−ナフチルグリシンを用いるスミキラルＯＡ−２５００Ｓカラム（内径２５０ｍｍ×１．５ｍｍＩ．Ｄ．、自家充填、材料は株式会社住化分析センター製）が使用された。蛍光検出は、励起波長４７０ｎｍ、検出波長５３０ｎｍで実行された。
【００４２】
２．結果
図１は、健常者及び各種疾患患者のそれぞれ最初のサンプルについてのＤ−アミノ酸の分析結果をまとめた表である。表の各行はサンプル提供者の疾患名を表し、各列は分析されたＤ−アミノ酸の種類を表す。表の中でＮＤは検出限界以下であったことを表す。トリプトファン、システイン及びチロシンの列の粗い右上がりのハッチングはこれらのアミノ酸は今回のサンプルでは定量できなかったことを表す。上向き矢印はこのサンプルでは第１行の健常男性のサンプルよりアミノ酸量が高いことを表し、下向き矢印は第１行の健常男性のサンプルよりこのサンプルのアミノ酸量が低いことを表す。細かい右上がりのハッチング（例えば、腎臓病サンプルのアスパラギン等）は、これらのサンプルのアミノ酸量の前記健常男性のサンプルのアミノ酸量に対する割合が２倍以上（上向き矢印）か、あるいは、１／２以下（下向き矢印）かを表す。粗い左上がりのハッチング（例えば、腎臓病サンプルのグルタミン等）は、これらのサンプルのアミノ酸量の前記健常男性のサンプルのアミノ酸量に対する割合が２倍未満（上向き矢印）か、あるいは、１／２未満（下向き矢印）かを表す。
【００４３】
図１の腎臓病患者サンプルで健常男性サンプルより血清濃度が高くなるＤ−アミノ酸のうち、セリン、アロＤ−スレオニン、スレオニン、アラニン、プロリン及びフェニルアラニンはＤ−アミノ酸酸化酵素の基質であるが、アスパラギン酸及びグルタミンはＤ−アスパラギン酸酸化酵素の基質である。また、同じＤ−アミノ酸酸化酵素の基質でも、ヒスチジン、アルギニン、メチオニン、バリン、アロＤ−イソロイシン及びイソロイシンは腎臓病患者と健常男性とで血清濃度に変化がないと判断された。また、アスパラギン酸及びグルタミン酸はＤ−アスパラギン酸酸化酵素の基質であるが、腎臓病患者と健常男性とで血清濃度に変化がないと判断された。そこで、腎臓病患者サンプルで健常男性サンプルより血清濃度が高くなるＤ−アミノ酸の種類は従来知られてきたＤ−アミノ酸の代謝酵素の特異性だけでは説明ができない。前立腺がん患者サンプルで健常男性サンプルより血清濃度が高くなるＤ−アミノ酸がＤ−ヒスチジン及びＤ−アスパラギンであること、及び、骨粗鬆症患者サンプルで健常男性サンプルより血清濃度が高くなるＤ−アミノ酸がＤ−アスパラギンであることについても従来知られてきたＤ−アミノ酸の代謝酵素の特異性だけでは説明ができない。Ｄ−アミノ酸酸化酵素及びＤ−アスパラギン酸酸化酵素はともに腎臓の近位尿細管に局在することが知られている。そこで、腎臓病の患者ではこれらの酵素活性が低下することは予測できる。その場合、これらの酵素の基質となるＤ−アミノ酸すべての分解が抑制され、体内量が上昇すると考えられる。しかし、実際には全てのＤ−アミノ酸ではなく、一部のＤ−アミノ酸だけの体内量が上昇するに留まる。その機序は不明である。これらの疾患特異的なＤ−アミノ酸の血清濃度の変化は、疾患の診断に利用できることが示唆された。
【００４４】
図１から、大半の種類のＤ−アミノ酸は、健常男性と各種疾患患者とで差がないが、一部のアミノ酸では健常男性と比較して２倍以上高いか１／２以下低いものがみられた。そこでまず、比較的多くのＤ−アミノ酸で健常男性サンプルと比較して大きい変化がみられた腎臓病に注目して、同じ疾患について４名の提供者のサンプルが詳しく調べられた。
【００４５】
図２−１、図２−２、図２−３、図２−４、図２−５及び図２−６は、それぞれ、Ｄ−セリン、Ｌ−セリン、Ｄ−スレオニン、Ｌ−スレオニン、Ｄ−アラニン及びＬ−アラニンの血清濃度の疾患サンプルごとの分布図である。サンプル１は健常男性、サンプル２は腎臓病患者、サンプル３は認知症患者、サンプル４は健常女性、サンプル５は大腸がん患者、そして、サンプル６は乳がん患者である。図２−１では、健常者の男性及び女性と、認知症、大腸がん及び乳がんとのＤ−セリンの血清濃度はほぼ一定で低いのに対し、腎臓病患者のＤ−セリンの血清濃度は他のサンプルより少なくとも２倍以上高いことが示された。図２−３では、健常者の男性及び女性と、認知症、大腸がん及び乳がんとのＤ−スレオニンの血清濃度はほぼ一定で低いのに対し、腎臓病患者のＤ−スレオニンの血清濃度は他のサンプルより少なくとも２倍以上高いことが示された。同様に図２−５では、健常者の男性及び女性と、認知症、大腸がん及び乳がんとのＤ−アラニンの血清濃度はほぼ一定で低いのに対し、腎臓病患者のＤ−アラニンの血清濃度は４名のうち３名については他のサンプルより少なくとも２倍以上高いことが示された。これに対し図２−２、図２−４及び図２−６では、Ｌ−セリン、Ｌ−スレオニン及びＬ−アラニンのいずれも、健常者と今回調べた４種類の疾患患者とのアミノ酸量の分布は個体差により分布範囲が広がった。そして腎臓病患者のサンプルでは健常者の男女と、他の疾患患者とのサンプルに比べてやや低い傾向はあるが、全体として、Ｄ−セリン、Ｄ−スレオニン及びＤ−アラニンのような顕著な相違は認められなかった。
【００４６】
図２−１ないし図２−６から明らかになるＤ−アミノ酸血清濃度の特徴は、健常者の男性及び女性のサンプルではいずれのＤ−アミノ酸の血清濃度が非常に低く、偏差も小さい点である。この点は他のＤ−アミノ酸についても同じである（データは示されない）。また、患者サンプルのＤ−アミノ酸の血清濃度は、疾患と相関する変動が認められない場合には、健常者の場合と同様に、いずれのＤ−アミノ酸についても血清濃度が非常に低い量で、偏差も小さい。これは診断の際に偽陽性が少ないことにつながるので、Ｄ−アミノ酸量による診断の有用性の重要な根拠となる。また、疾患特異的に変化するＤ−アミノ酸量を他の因子と組み合わせたパラメーターで表すとき、該他の因子そのものが前記Ｄ−アミノ酸量より疾患との相関が低い場合には、実質的に前記Ｄ−アミノ酸量だけに基づいて診断するのと同じ診断特性しか得られない。
【００４７】
図３−１、図３−２及び図３−３は、それぞれ、セリン、スレオニン及びアラニンのサンプルのＤ−体及びＬ−体の量の和に対するＤ−体量の百分率（％Ｄ）の分布図である。図３−１では、健常者の男性及び女性と、認知症、大腸がん及び乳がんとのセリンの全血清濃度に占めるＤ−セリンの血清濃度の百分率はほぼ一定で低いのに対し、腎臓病患者のセリンの全血清濃度に占めるＤ−セリンの血清濃度の百分率は他のサンプルより４倍以上高いことが示された。図３−２では、健常者の男性及び女性と、認知症、大腸がん及び乳がんとのスレオニンの全血清濃度に占めるＤ−スレオニンの血清濃度の百分率はほぼ一定で低いのに対し、腎臓病患者のスレオニンの全血清濃度に占めるＤ−スレオニンの血清濃度の百分率は他のサンプルより４倍以上高いことが示された。同様に図３−３では、健常者の男性及び女性と、認知症、大腸がん及び乳がんとのアラニンの全血清濃度に占めるＤ−アラニンの血清濃度の百分率はほぼ一定な低い値であるのに対し、腎臓病患者のアラニンの全血清濃度に占めるＤ−アラニンの血清濃度の百分率は、４名のうち３名については、他のサンプルより４倍以上高いことが示された。
【実施例２】
【００４８】
マウス疾患モデルでの由来のサンプルのアミノ酸立体異性体の全分析１．材料と方法１．１  アミノ酸立体異性体の全分析
アミノ酸立体異性体の全分析は、実施例１で説明されたＤ、Ｌ−アミノ酸一斉高感度分析システムと同様のシステムが用いられたが、送液ポンプにダンパーを有さないＭＳを用いたこと、ＭＰＳと低用量デガッサーとの採用により、２次元目の移動相を幅広く選択できるようになったことが異なる。
【００４９】
１．２  マウス疾患モデル
本実施例で用いられたマウス疾患モデルは、拡張型心筋症モデルマウス、卵巣摘出による更年期モデルマウス、肉腫移植マウス、アルツハイマー病モデルマウス、ＤＡＯ欠損マウス及びＤＤＯ欠損マウスである。以下に詳しくそれぞれのマウスについて説明する。マウスを用いる実験は九州大学大学院薬学研究院にて行われた。
【００５０】
１．２．１  拡張型心筋症モデルマウス
心血管障害のモデルマウスとして、心筋構成タンパク質の１種である、ＭＬＰ（ｍｕｓｃｌｅ  ＬＩＭ  ｐｒｏｔｅｉｎ）が欠損した、ＭＬＰ−ＫＯマウス（Ａｒｂｅｒ，  Ｓ．ら、Ｃｅｌｌ、８８：３９３（１９９７））が用いられた。拡張型心筋症モデルマウス（ＭＬＰ−ＫＯマウス、以下、「疾病」という。）雄８週齢３匹と、対照正常マウス（以下、「正常」という。）雄８週齢４匹との尿サンプルを得て、その全アミノ酸光学異性体含量が分析された。
【００５１】
１．２．２  更年期モデルマウス
更年期モデルマウスとして、ＨＲ−１マウス９週齢雌から麻酔下で卵巣が摘出され、皮膚が縫合された。同じ週齢の雌マウスから、卵巣摘出を行わずに、皮膚の切開及び縫合のみを行った対照実験のマウスも用意された。施術前と、施術後１週間目ないし４週間目の体重が測定された。対照マウスと比較して体重が増大することが確認された個体が更年期モデルマウスとして尿中全アミノ酸光学異性体含量分析に供された。
【００５２】
１．２．３  肉腫移植マウス
肉腫移植マウスとして、２×１０ ７ 個の肉腫細胞を移植されたＩＣＲ系雄６週齢マウスが用意された。（三田様へ：肉腫の株をご教示ください。）移植３週間後に外植された腫瘍の成長が確認された個体が尿中全アミノ酸光学異性体含量分析に供された。肉腫移植マウスの対照実験として、同環境で飼育されたＩＣＲ系雄９週齢マウス個体が尿中全アミノ酸光学異性体含量分析に供された。
【００５３】
１．２．４  アルツハイマー病モデルマウス
アルツハイマー病モデルマウスとして、アミロイドβ前駆体タンパク質高発現トランスジェニックマウスＴｇ２５７６（Ｈｓｉａｏ、Ｋ．ら、Ｓｃｉｅｎｃｅ、２７４：９９（１９９６））のヘミ接合体雄８週齢マウスが尿中全アミノ酸光学異性体含量分析に供された。Ｃ５７ＢＬ雄８週齢マウスが対照正常マウスとして尿中全アミノ酸光学異性体含量分析に供された。
【００５４】
１．２．５  Ｄ−アミノ酸酸化酵素（ＤＡＯ）欠損マウス
Ｄ−アミノ酸代謝関連酵素活性変化モデルの１つとして、Ｄ−アミノ酸酸化酵素（ＤＡＯ）欠損マウス（Ｋｏｎｎｏ、  Ｒ．ら、Ｇｅｎｅｔｉｃｓ  １０３：２７７（１９８３）、ｄｄＹ／ＤＡＯ−、以下、「ＤＡＯ−／−」という。）雄８週齢の個体が尿中全アミノ酸光学異性体含量分析に供された。Ｄ−アミノ酸酸化酵素（ＤＡＯ）野生型マウス雄８週齢の個体が、対照マウスとして尿中全アミノ酸光学異性体含量分析に供された。
【００５５】
１．２．６  Ｄ−アスパラギン酸酸化酵素（ＤＤＯ）欠損マウス
Ｄ−アミノ酸代謝関連酵素活性変化モデルの１つとして、Ｄ−アスパラギン酸酸化酵素（ＤＤＯ）欠損マウス（Ｈｕａｎｇ、Ａ．Ｓ．ら、Ｊ．  Ｎｅｕｒｏｓｃｉ．、２：２８１４（２００６）、以下、「ＤＤＯ−」という。）雄８週齢の個体が尿中全アミノ酸光学異性体含量分析に供された。Ｄ−アスパラギン酸酸化酵素（ＤＤＯ）野生型（以下、「ＤＤＯ＋」という。）雄８週齢個体が、対照マウスとして尿中全アミノ酸光学異性体含量分析に供された。
【００５６】
１．２．７  フェニルケトン尿症疾患モデルマウス
アミノ酸代謝障害モデルマウスの１つとして、フェニルケトン尿症疾患モデルマウス（フェニルアラニン水酸化酵素（ＰＡＨ）突然変異マウス、Ｐａｈ ｅｎｕ２ ／Ｐａｈ ｅｎｕ２ 、Ｓｈｅｄｌｏｖｓｋｙ、Ａ．ら、Ｇｅｎｅｔｉｃｓ  １３４：１２０５（１９９３））のＳＰＦ条件で飼育された２５−３５週齢の雄５匹が尿中全アミノ酸光学異性体含量分析に供された。同一遺伝背景の野生型アレルのホモ接合体のＳＰＦ条件で飼育された２５−３５週齢の雄５匹が、対照マウスとして尿中全アミノ酸光学異性体含量分析に供された。
【００５７】
１．２．８  メープルシロップ尿症疾患モデルマウス
アミノ酸代謝障害モデルマウスの１つとして、（分岐鎖アルファ−ケト酸脱水素酵素（ＢＣＫＤＨ）突然変異マウス、Ｄｂｔ ｔｍ１Ｇｅｈ ／Ｄｂｔ ｔｍ１Ｇｅｈ 、Ｈｏｍａｎｉｃｓ  Ｇ．Ｅ．ら、ＢＭＣ  Ｍｅｄ  Ｇｅｎｅｔ、７：３３（２００６）のＳＰＦ条件で飼育された８−１０週齢の雄５匹が尿中全アミノ酸光学異性体含量分析に供された。同一遺伝背景の野生型アレルのホモ接合体のＳＰＦ条件で飼育された８−１０週齢の雄５匹が、対照マウスとして尿中全アミノ酸光学異性体含量分析に供された。一部の実験では、＋／Ｄｂｔ ｔｍ１Ｇｅｈ のヘテロ接合体のＳＰＦ条件で飼育された８−１０週齢の雄５匹が中間型として尿中全アミノ酸光学異性体含量分析に供された。
【００５８】
２．結果
２．１  拡張型心筋症モデルマウス
図４−１は、拡張型心筋症モデルマウス（ＭＬＰ−ＫＯマウス、以下、「疾病」という。）３匹と、対照正常マウス（以下、「正常」という。）４匹との尿中のＤ−セリン濃度の平均値及び標準誤差の棒グラフである。縦軸は、Ｄ−セリン濃度（ナノモル／ｍＬ）である。図４−２は、拡張型心筋症モデルマウス３匹と、対照正常マウス４匹との尿中のＬ−セリン濃度の平均値及び標準誤差の棒グラフを示す。縦軸は、Ｌ−セリン濃度（ナノモル／ｍＬ）である。図４−３は、拡張型心筋症モデルマウス３匹と、対照正常マウス４匹との尿中の全セリン濃度（Ｄ−セリン濃度及びＬ−セリン濃度の和）の平均値及び標準誤差の棒グラフである。縦軸は、全セリン濃度（ナノモル／ｍＬ）である。図４−４は、拡張型心筋症モデルマウス３匹と、対照正常マウス４匹との尿中の全セリン濃度に対するＤ−セリン濃度の百分率（％Ｄ）の平均値及び標準誤差の棒グラフを示す。縦軸は、％Ｄである。正常と疾病との有意差は、Ｓｔｕｄｅｎｔのｔ検定でＰが０．０２未満であった。図４−５は、拡張型心筋症モデルマウス３匹と、対照正常マウス４匹との尿中のＤ−アルギニン濃度の平均値及び標準誤差の棒グラフである。縦軸は、Ｄ−アルギニン濃度（ナノモル／ｍＬ）である。図４−６は、拡張型心筋症モデルマウス３匹と、対照正常マウス４匹との尿中のＬ−アルギニン濃度の平均値及び標準誤差の棒グラフである。縦軸は、Ｌ−アルギニン濃度（ナノモル／ｍＬ）である。正常と疾病との有意差は、Ｓｔｕｄｅｎｔのｔ検定でＰが０．０１未満であった。図４−７は、拡張型心筋症モデルマウス３匹と、対照正常マウス４匹との尿中の全アルギニン濃度（Ｄ−アルギニン濃度及びＬ−アルギニン濃度の和）の平均値及び標準誤差の棒グラフである。縦軸は、全アルギニン濃度（ナノモル／ｍＬ）である。図４−８は、拡張型心筋症モデルマウス３匹と、対照正常マウス４匹との尿中のＤ−グルタミン酸濃度の平均値及び標準誤差の棒グラフである。縦軸は、Ｄ−グルタミン酸濃度（ナノモル／ｍＬ）である。正常と疾病との有意差は、Ｓｔｕｄｅｎｔのｔ検定でＰが０．０２未満であった。図４−９は、拡張型心筋症モデルマウス３匹と、対照正常マウス４匹との尿中のＬ−グルタミン酸濃度の平均値及び標準誤差の棒グラフである。縦軸は、Ｌ−グルタミン酸濃度（ナノモル／ｍＬ）である。図４−１０は、拡張型心筋症モデルマウス３匹と、対照正常マウス４匹との尿中の全グルタミン酸濃度（Ｄ−グルタミン酸濃度及びＬ−グルタミン酸濃度の和）の平均値及び標準誤差の棒グラフである。縦軸は、全グルタミン酸濃度（ナノモル／ｍＬ）である。図４−１１は、拡張型心筋症モデルマウス３匹と、対照正常マウス４匹との尿中のＤ−プロリン濃度の平均値及び標準誤差の棒グラフである。縦軸は、Ｄ−プロリン濃度（ナノモル／ｍＬ）である。正常と疾病との有意差は、Ｓｔｕｄｅｎｔのｔ検定でＰが０．０１未満であった。図４−１２は、拡張型心筋症モデルマウス３匹と、対照正常マウス４匹との尿中のＬ−プロリン濃度の平均値及び標準誤差の棒グラフである。縦軸は、Ｌ−プロリン濃度（ナノモル／ｍＬ）である。図４−１３は、拡張型心筋症モデルマウス３匹と、対照正常マウス４匹との尿中の全プロリン濃度（Ｄ−プロリン濃度及びＬ−プロリン濃度の和）の平均値及び標準誤差の棒グラフである。縦軸は、全プロリン濃度（ナノモル／ｍＬ）である。図４−１４は、拡張型心筋症モデルマウス３匹と、対照正常マウス４匹との尿中のＤ−リジン濃度の平均値及び標準誤差の棒グラフを示す。縦軸は、Ｄ−リジン濃度（ナノモル／ｍＬ）である。正常と疾病との有意差は、Ｓｔｕｄｅｎｔのｔ検定でＰが０．０１未満であった。図４−１５は、拡張型心筋症モデルマウス３匹と、対照正常マウス４匹との尿中のＬ−リジン濃度の平均値及び標準誤差の棒グラフを示す。縦軸は、Ｌ−リジン濃度（ナノモル／ｍＬ）である。図４−１６は、拡張型心筋症モデルマウス３匹と、対照正常マウス４匹との尿中の全リジン濃度（Ｄ−リジン濃度及びＬ−リジン濃度の和）の平均値及び標準誤差の棒グラフである。これらの結果から、Ｄ−セリン濃度は疾病群で正常群より低い傾向はあったが、有意差は認められなかった。しかし％Ｄで評価すると、Ｄ−セリンの％Ｄは、疾病群で正常群より有意に低かった。Ｌ−アルギニン濃度は、疾病群で正常群より有意に低かった。Ｄ−グルタミン酸濃度は、疾病群で正常群より有意に高かった。Ｄ−プロリン濃度は疾病群で正常群より有意に低かった。Ｄ−リジン濃度は疾病群で正常群より有意に低かった。
【００５９】
２．２  更年期モデルマウス
図５−１は、９週齢ＨＲ−１マウスから卵巣が摘出された更年期モデルマウス（以下、「ＯＶＸ」という。）１２匹と、同じ週齢の雌マウスから、卵巣摘出を行わずに、皮膚の切開及び縫合のみを行った対照マウス（以下、「ｓｈａｍ」という。）６匹との体重の平均値及び標準偏差の変化を示すグラフである。縦軸はマウスの体重（グラム）を示す。黒塗り及び斜線ハッチングの棒グラフは、それぞれ、施術前の９週齢マウスと、施術後１週目（１０週齢）、２週目（１１週齢）、３週目（１２週齢）、４週目（１３週齢）の更年期モデルマウス（ＯＶＸ）及び対照マウス（ｓｈａｍ）の体重の平均値及び標準偏差を示す。更年期モデルマウス（ＯＶＸ）及び対照マウス（ｓｈａｍ）との体重の有意差は、Ｓｔｕｄｅｎｔのｔ検定でＰが０．０５未満（＊）又は０．０１未満（＊＊）であった。卵巣が摘出された更年期モデルマウスでは術後２週目から体重が対照マウスより有意に増加し、更年期モデルマウス作製に成功したことを示す。
【００６０】
図５−２、５−３及び５−４は、それぞれ、更年期モデルマウス（ＯＶＸ）３匹のうち１匹目（ＯＶＸ−３）、２匹目（ＯＶＸ−４）及び３匹目（ＯＶＸ−５）の尿中全アミノ酸光学異性体含量分析結果を示す表である。グリシンは光学異性体が存在しないので、Ｌ体の欄に記載された。アミノ酸はすべてＮＢＤ−Ｆにより蛍光誘導体化され、本発明の全アミノ酸光学異性体含量分析装置を用いて解析された。トリプトファンはＮＢＤ誘導体の感度は低いため、今回の解析ではｎｄとされた。システインについては、空気酸化によりシスチンが生成するため、システインとしての含量は極めて低い。そこで今回の解析ではｎｄとされた。図５−５、５−６、５−７及び５−８は、それぞれ、対照マウス（ｓｈａｍ）４匹のうち１匹目（Ｓｈａｍ−１６）、２匹目（Ｓｈａｍ−１７）、３匹目（Ｓｈａｍ−１９）及び４匹目（Ｓｈａｍ−２０）の尿中全アミノ酸光学異性体含量分析結果を示す表である。図５−９は、更年期モデルマウス（ＯＶＸ）３匹及び対照マウス（ｓｈａｍ）４匹の尿中のＤ−アミノ酸含量を比較した表である。Ｄ−アスパラギン酸は更年期モデルマウス（ＯＶＸ）よりも対照マウス（ｓｈａｍ）が低く、有意差は、Ｓｔｕｄｅｎｔのｔ検定でＰが０．０１５であった。図５−１０は、年期モデルマウス（ＯＶＸ）３匹及び対照マウス（ｓｈａｍ）４匹の尿中のＬ−アミノ酸含量を比較した表である。Ｌ−ヒスチジン及びＬ−フェニルアラニンは対照マウス（ｓｈａｍ）よりも更年期モデルマウス（ＯＶＸ）が低く、有意差は、Ｓｔｕｄｅｎｔのｔ検定でＰがそれぞれ０．０１７及び０．０３７であった。図５−１１は、更年期モデルマウス（ＯＶＸ）３匹及び対照マウス（ｓｈａｍ）４匹の尿中の各アミノ酸のＤ−体濃度及びＬ−体の濃度の和に対するＤ−体濃度の百分率（％Ｄ）を比較した表である。スレオニン及びイソロイシンについては、生体内でのＤ−体がアロ体となるため、％Ｄは、Ｄ−アロ体濃度及びＬ−体濃度の和に対するＤ−アロ体濃度の百分率として評価された。Ｄ−アスパラギン酸は対照マウス（ｓｈａｍ）よりも更年期モデルマウス（ＯＶＸ）が低く、有意差は、Ｓｔｕｄｅｎｔのｔ検定でＰが０．００２であった。図５−１２は、更年期モデルマウス（ＯＶＸ）３匹及び対照マウス（ｓｈａｍ）４匹の尿中の全Ｌ−アミノ酸の濃度の和に対する各Ｄ−アミノ酸濃度の百分率（％Ｄ／ｔｏｔａｌ  Ｌ）を比較した表である。Ｄ−アスパラギン酸は対照マウス（ｓｈａｍ）よりも更年期モデルマウス（ＯＶＸ）が低く、有意差は、Ｓｔｕｄｅｎｔのｔ検定でＰが０．００５であった。図５−１３は、更年期モデルマウス（ＯＶＸ）３匹及び対照マウス（ｓｈａｍ）４匹の尿中の全Ｄ−アミノ酸の濃度の和に対する各Ｄ−アミノ酸濃度の百分率（％Ｄ／ｔｏｔａｌ  Ｄ）を比較した表である。Ｄ−アスパラギン酸は対照マウス（ｓｈａｍ）よりも更年期モデルマウス（ＯＶＸ）が低く、有意差は、Ｓｔｕｄｅｎｔのｔ検定でＰが０．０１７であった。図５−１４は、更年期モデルマウス（ＯＶＸ）３匹及び対照マウス（ｓｈａｍ）４匹の尿中のＤ−グルタミン酸濃度に対する各Ｄ−アミノ酸濃度の百分率（％Ｄ／Ｄ−Ｇｌｕ）を比較した表である。Ｄ−アスパラギン酸は酸性Ｄ−アミノ酸なの��、同様の代謝を受けると考えられるＤ−グルタミン酸濃度で補正後評価された。％Ｄ／Ｄ−Ｇｌｕでも、Ｄ−アスパラギン酸は対照マウス（ｓｈａｍ）よりも更年期モデルマウス（ＯＶＸ）が低く、有意差は、Ｓｔｕｄｅｎｔのｔ検定でＰが０．００６であった。
【００６１】
２．３  肉腫移植マウス
図６−１、６−２及び６−３は、それぞれ、２×１０ ７ 個の肉腫細胞を移植されたＩＣＲ系雄６週齢マウスで、移植３週間後に外植された腫瘍の成長が確認された個体３匹のうち１匹目（Ｓ３）、２匹目（Ｓ４）及び３匹目（Ｓ５）の尿中全アミノ酸光学異性体含量分析結果を示す表である。グリシンは光学異性体が存在しないので、Ｌ体の欄に記載された。アミノ酸はすべてＮＢＤ−Ｆにより蛍光誘導体化され、本発明の全アミノ酸光学異性体含量分析装置を用いて解析された。トリプトファンはＮＢＤ誘導体の感度は低いため、今回の解析ではｎｄとされた。システインについては、空気酸化によりシスチンが生成するため、システインとしての含量は極めて低い。そこで今回の解析ではｎｄとされた。図６−４、６−５及び６−６は、それぞれ、肉腫移植マウスの対照実験として同環境で飼育されたＩＣＲ系雄９週齢マウス個体３匹のうち１匹目（Ｃ３）、２匹目（Ｃ４）及び３匹目（Ｃ５）の尿中全アミノ酸光学異性体含量分析結果を示す表である。図６−７は、肉腫移植マウス３匹（Ｓ３、Ｓ４及びＳ５）及び対照マウス（Ｃ３、Ｃ４及びＣ５）３匹の尿中のＤ−アミノ酸含量を比較した表である。図６−８は、肉腫移植マウス３匹（Ｓ３、Ｓ４及びＳ５）及び対照マウス（Ｃ３、Ｃ４及びＣ５）３匹の尿中のＬ−アミノ酸含量を比較した表である。図６−９は、肉腫移植マウス３匹（Ｓ３、Ｓ４及びＳ５）及び対照マウス（Ｃ３、Ｃ４及びＣ５）３匹の尿中の各アミノ酸のＤ−体濃度及びＬ−体の濃度の和に対するＤ−体濃度の百分率（％Ｄ）を比較した表である。肉腫移植マウスのセリンの％Ｄは対照マウスより低く、有意差は、Ｓｔｕｄｅｎｔのｔ検定でＰが０．０１６であった。図６−１０は、肉腫移植マウス３匹（Ｓ３、Ｓ４及びＳ５）及び対照マウス（Ｃ３、Ｃ４及びＣ５）３匹の尿中の全Ｌ−アミノ酸の濃度の和に対する各Ｄ−アミノ酸濃度の百分率（％Ｄ／ｔｏｔａｌ  Ｌ）を比較した表である。図６−１１は、肉腫移植マウス３匹（Ｓ３、Ｓ４及びＳ５）及び対照マウス（Ｃ３、Ｃ４及びＣ５）３匹の尿中の全Ｄ−アミノ酸の濃度の和に対する各Ｄ−アミノ酸濃度の百分率（％Ｄ／ｔｏｔａｌ  Ｄ）を比較した表である。Ｄ−アスパラギン及びＤ−アルギニンは対照マウスよりも肉腫移植マウスが高い傾向があり、Ｄ−アルギニンの有意差は、Ｓｔｕｄｅｎｔのｔ検定でＰが０．０３５であった。図６−１２は、肉腫移植マウス３匹（Ｓ３、Ｓ４及びＳ５）及び対照マウス（Ｃ３、Ｃ４及びＣ５）３匹の尿中のＤ−アスパラギン濃度に対する各Ｄ−アミノ酸濃度の百分率（％Ｄ／Ｄ−Ａｓｎ）を比較した表である。Ｄ−アスパラギンは哺乳類尿中に比較的高濃度に存在すること、及び、全Ｄ−アミノ酸濃度に対する比率が最も安定していたことのために、尿中濃度の補正の指標として用いられた。Ｄ−アルギニンは対照マウスよりも肉腫移植マウスが高い傾向があり、有意差は、Ｓｔｕｄｅｎｔのｔ検定でＰが０．０１６であった。
【００６２】
２．４  アルツハイマー病モデルマウス
図７−１は、アルツハイマー病モデルマウス（アミロイドβ前駆体タンパク質高発現トランスジェニックマウスＴｇ２５７６ヘミ接合体雄８週齢マウス、以下、「ｈｅｍｉ」という。）３匹と、対照正常マウス（Ｃ５７ＢＬ、以下、「Ｗｉｌｄ」という。）３匹との尿中のＤ−セリン濃度（Ｄ−Ｓｅｒ）、Ｌ−セリン濃度（Ｌ−Ｓｅｒ）及び両方の合計（Ｓｅｒ）の平均値及び標準誤差の棒グラフである。縦軸は、濃度（ナノモル／ｍＬ）である。図７−２は、アルツハイマー病モデルマウス（ｈｅｍｉ）３匹と、対照正常マウス（Ｗｉｌｄ）３匹との尿中の全セリン濃度に対するＤ−セリン濃度の百分率（％Ｄ）の平均値及び標準誤差の棒グラフである。縦軸は、％Ｄである。図７−３は、アルツハイマー病モデルマウス（ｈｅｍｉ）３匹と、対照正常マウス（Ｗｉｌｄ）３匹との尿中のＤ−アロ−スレオニン濃度に対するＤ−セリンの相対比（Ｄ−Ｓｅｒ／Ｄ−ａｌｌｏ−Ｔｈｒ）又は尿中のＤ−アロ−イソロイシン濃度に対するＤ−セリンの相対比（Ｄ−Ｓｅｒ／Ｄ−ａｌｌｏ−Ｉｌｅ）のグラフである。尿中のＤ−アロ−スレオニン濃度に対するＤ−セリンの相対比も、尿中のＤ−アロ−イソロイシン濃度に対するＤ−セリンの相対比も、アルツハイマー病モデルマウスのほうが対照マウスよりも高く、有意差はＳｔｕｄｅｎｔのｔ検定でＰがともに０．０１未満であった。図７−４は、アルツハイマー病モデルマウス（ｈｅｍｉ）３匹と、対照正常マウス（Ｗｉｌｄ）３匹との尿中のＤ−アラニン濃度（Ｄ−Ａｌａ）、Ｌ−アラニン濃度（Ｌ−Ａｌａ）及び両方の合計（Ａｌａ）の平均値及び標準誤差の棒グラフである。縦軸は、濃度（ナノモル／ｍＬ）である。尿中のＤ−アラニン濃度は、アルツハイマー病モデルマウスのほうが対照正常マウスより高く、有意差はＳｔｕｄｅｎｔのｔ検定でＰが０．０１未満であった。図７−５は、アルツハイマー病モデルマウス（ｈｅｍｉ）３匹と、対照正常マウス（Ｗｉｌｄ）３匹との尿中の全アラニン濃度に対するＤ−アラニン濃度の百分率（％Ｄ）の平均値及び標準誤差の棒グラフである。縦軸は、％Ｄである。尿中の全アラニン濃度に対するＤ−アラニン濃度の百分率（％Ｄ）は、アルツハイマー病モデルマウスのほうが対照正常マウスより高く、有意差はＳｔｕｄｅｎｔのｔ検定でＰが０．０１未満であった。図７−６は、アルツハイマー病モデルマウス（ｈｅｍｉ）３匹と、対照正常マウス（Ｗｉｌｄ）３匹との尿中のＤ−メチオニン濃度（Ｄ−Ｍｅｔ）、Ｌ−メチオニン濃度（Ｌ−Ｍｅｔ）及び両方の合計（Ｍｅｔ）の平均値及び標準誤差の棒グラフである。縦軸は、濃度（ナノモル／ｍＬ）である。尿中のＤ−Ｍｅｔ濃度は、アルツハイマー病モデルマウスのほうが対照正常マウスより高い傾向があった。図７−７は、アルツハイマー病モデルマウス（ｈｅｍｉ）３匹と、対照正常マウス（Ｗｉｌｄ）３匹との尿中の全セリン濃度に対するＤ−メチオニン濃度の百分率（％Ｄ）の平均値及び標準誤差の棒グラフである。縦軸は、％Ｄである。図７−８は、アルツハイマー病モデルマウス（ｈｅｍｉ）３匹と、対照正常マウス（Ｗｉｌｄ）３匹との尿中のＤ−アロ−スレオニン濃度に対するＤ−メチオニンの相対比（Ｄ−Ｍｅｔ／Ｄ−ａｌｌｏ−Ｔｈｒ）又は尿中のＤ���アロ−イソロイシン濃度に対するＤ−メチオニンの相対比（Ｄ−Ｍｅｔ／Ｄ−ａｌｌｏ−Ｉｌｅ）のグラフである。尿中のＤ−アロ−スレオニン濃度に対するＤ−メチオニンの相対比も、尿中のＤ−アロ−イソロイシン濃度に対するＤ−メチオニンの相対比も、アルツハイマー病モデルマウスのほうが対照マウスよりも高く、有意差はＳｔｕｄｅｎｔのｔ検定でＰがともに０．０５未満であった。図７−９は、アルツハイマー病モデルマウス（ｈｅｍｉ）３匹と、対照正常マウス（Ｗｉｌｄ）３匹との尿中のＤ−ロイシン濃度（Ｄ−Ｌｅｕ）、Ｌ−ロイシン濃度（Ｌ−Ｌｅｕ）及び両方の合計（Ｌｅｕ）の平均値及び標準誤差の棒グラフである。縦軸は、濃度（ナノモル／ｍＬ）である。図７−１０は、アルツハイマー病モデルマウス（ｈｅｍｉ）３匹と、対照正常マウス（Ｗｉｌｄ）３匹との尿中の全セリン濃度に対するＤ−ロイシン濃度の百分率（％Ｄ）の平均値及び標準誤差の棒グラフである。図７−１１は、アルツハイマー病モデルマウス（ｈｅｍｉ）３匹と、対照正常マウス（Ｗｉｌｄ）３匹との尿中のＤ−アロ−スレオニン濃度に対するＤ−ロイシンの相対比（Ｄ−Ｌｅｕ／Ｄ−ａｌｌｏ−Ｔｈｒ）又は尿中のＤ−アロ−イソロイシン濃度に対するＤ−ロイシンの相対比（Ｄ−Ｌｅｕ／Ｄ−ａｌｌｏ−Ｉｌｅ）のグラフである。尿中のＤ−アロ−スレオニン濃度に対するＤ−ロイシンの相対比も、尿中のＤ−アロ−イソロイシン濃度に対するＤ−ロイシンの相対比も、アルツハイマー病モデルマウスのほうが対照マウスよりも高く、有意差はＳｔｕｄｅｎｔのｔ検定でＰが、それぞれ、０．０５未満及び０．０１未満であった。図７−１２は、アルツハイマー病モデルマウス（ｈｅｍｉ）３匹と、対照正常マウス（Ｗｉｌｄ）３匹との尿中のＤ−アスパラギン酸濃度（Ｄ−Ａｓｐ）、Ｌ−アスパラギン酸濃度（Ｌ−Ａｓｐ）及び両方の合計（Ａｓｐ）の平均値及び標準誤差の棒グラフである。縦軸は、濃度（ナノモル／ｍＬ）である。尿中のＤ−アスパラギン酸濃度は、アルツハイマー病モデルマウスのほうが対照正常マウスより低く、有意差はＳｔｕｄｅｎｔのｔ検定でＰが０．０５未満であった。図７−１３は、アルツハイマー病モデルマウス（ｈｅｍｉ）３匹と、対照正常マウス（Ｗｉｌｄ）３匹との尿中の全アスパラギン酸濃度に対するＤ−アスパラギン酸濃度の百分率（％Ｄ）の平均値及び標準誤差の棒グラフである。縦軸は、％Ｄである。図７−１４は、アルツハイマー病モデルマウス（ｈｅｍｉ）３匹と、対照正常マウス（Ｗｉｌｄ）３匹との尿中のＤ−フェニルアラニン濃度（Ｄ−Ｐｈｅ）、Ｌ−フェニルアラニン濃度（Ｌ−Ｐｈｅ）及び両方の合計（Ｐｈｅ）の平均値及び標準誤差の棒グラフである。縦軸は、濃度（ナノモル／ｍＬ）である。図７−１５は、アルツハイマー病モデルマウス（ｈｅｍｉ）３匹と、対照正常マウス（Ｗｉｌｄ）３匹との尿中の全フェニルアラニン濃度に対するＤ−フェニルアラニン濃度の百分率（％Ｄ）の平均値及び標準誤差の棒グラフである。図７−１６は、アルツハイマー病モデルマウス（ｈｅｍｉ）３匹と、対照正常マウス（Ｗｉｌｄ）３匹との尿中のＤ−アロ−スレオニン濃度に対するＤ−フェニルアラニンの相対比（Ｄ−Ｐｈｅ／Ｄ−ａｌｌｏ−Ｔｈｒ）又���尿中のＤ−アロ−イソロイシン濃度に対するＤ−フェニルアラニンの相対比（Ｄ−Ｐｈｅ／Ｄ−ａｌｌｏ−Ｉｌｅ）のグラフである。尿中のＤ−アロ−イソロイシン濃度に対するＤ−フェニルアラニンの相対比は、アルツハイマー病モデルマウスのほうが対照マウスよりも高く、有意差はＳｔｕｄｅｎｔのｔ検定でＰが０．０５未満であった。
【００６３】
２．５  Ｄ−アミノ酸酸化酵素（ＤＡＯ）欠損マウス
図８−１、８−２及び８−３は、それぞれＤ−アミノ酸酸化酵素（ＤＡＯ）野生型マウス（ｄｄＹ／ＤＡＯ＋、以下、「ＤＡＯ＋／＋」という。）個体３匹のうち１匹目（ＤＡＯ＋／＋  １）、２匹目（ＤＡＯ＋／＋  ２）及び３匹目（ＤＡＯ＋／＋  ３）の尿中全アミノ酸光学異性体含量分析結果を示す表である。グリシンは光学異性体が存在しないので、Ｌ体の欄に記載された。アミノ酸はすべてＮＢＤ−Ｆにより蛍光誘導体化され、本発明の全アミノ酸光学異性体含量分析装置を用いて解析された。トリプトファンはＮＢＤ誘導体の感度は低いため、今回の解析ではｎｄとされた。システインについては、空気酸化によりシスチンが生成するため、システインとしての含量は極めて低い。そこで今回の解析ではｎｄとされた。図８−４、８−５及び８−６は、それぞれ、Ｄ−アミノ酸酸化酵素（ＤＡＯ）欠損マウス（ｄｄＹ／ＤＡＯ−、以下、「ＤＡＯ−／−」という。）個体３匹のうち１匹目（ＤＡＯ−／−  １）、２匹目（ＤＡＯ−／−  ２）及び３匹目（ＤＡＯ−／−  ３）の尿中全アミノ酸光学異性体含量分析結果を示す表である。グリシンは光学異性体が存在しないので、Ｌ体の欄に記載された。アミノ酸はすべてＮＢＤ−Ｆにより蛍光誘導体化され、本発明の全アミノ酸光学異性体含量分析装置を用いて解析された。トリプトファンはＮＢＤ誘導体の感度は低いため、今回の解析ではｎｄとされた。システインについては、空気酸化によりシスチンが生成するため、システインとしての含量は極めて低い。そこで今回の解析ではｎｄとされた。図８−７は、Ｄ−アミノ酸酸化酵素（ＤＡＯ）野生型マウス３匹（ＤＡＯ＋／＋  １、ＤＡＯ＋／＋  ２及びＤＡＯ＋／＋  ３）と、Ｄ−アミノ酸酸化酵素（ＤＡＯ）欠損マウス３匹（ＤＡＯ−／−  １、ＤＡＯ−／−  ２及びＤＡＯ−／−  ３）と尿中のＤ−アミノ酸含量を比較した表である。Ｄ−セリン、Ｄ−アロ−スレオニン、Ｄ−アラニン、Ｄ−プロリン、Ｄ−ロイシン及びＤ−フェニルアラニンはＤ−アミノ酸酸化酵素（ＤＡＯ）野生型マウスよりもＤＡＯ酵素欠損マウスが有意に高かった。図８−８は、Ｄ−アミノ酸酸化酵素（ＤＡＯ）野生型マウス３匹（ＤＡＯ＋／＋  １、ＤＡＯ＋／＋  ２及びＤＡＯ＋／＋  ３）と、Ｄ−アミノ酸酸化酵素（ＤＡＯ）欠損マウス３匹（ＤＡＯ−／−  １、ＤＡＯ−／−  ２及びＤＡＯ−／−  ３）と尿中のＬ−アミノ酸含量を比較した表である。Ｄ−セリン、Ｄ−アロ−スレオニン、Ｄ−アラニン、Ｄ−プロリン、Ｄ−ロイシン及びＤ−フェニルアラニンはＤ−アミノ酸酸化酵素（ＤＡＯ）野生型マウスよりもＤＡＯ酵素欠損マウスが有意に高かった。図８−９は、Ｄ−アミノ酸酸化酵素（ＤＡＯ）野生型マウス３匹（ＤＡＯ＋／＋  １、ＤＡＯ＋／＋  ２及びＤＡＯ＋／＋  ３）と、Ｄ−アミノ酸酸化酵素（ＤＡＯ）欠損マウス３匹（ＤＡＯ−／−
１、ＤＡＯ−／−  ２及びＤＡＯ−／−  ３）と尿中の各アミノ酸のＤ−体濃度及びＬ−体の濃度の和に対するＤ−体濃度の百分率（％Ｄ）を比較した表である。Ｄ−セリン、Ｄ−アロ−スレオニン、Ｄ−アラニン、Ｄ−プロリン、Ｄ−ロイシン及びＤ−フェニルアラニンはＤ−アミノ酸酸化酵素（ＤＡＯ）野生型マウスよりもＤＡＯ酵素欠損マウスが有意に高かった。図８−１０は、Ｄ−アミノ酸酸化酵素（ＤＡＯ）野生型マウス３匹（ＤＡＯ＋／＋  １、ＤＡＯ＋／＋  ２及びＤＡＯ＋／＋  ３）と、Ｄ−アミノ酸酸化酵素（ＤＡＯ）欠損マウス３匹（ＤＡＯ−／−  １、ＤＡＯ−／−  ２及びＤＡＯ−／−  ３）と尿中の全Ｌ−アミノ酸の濃度の和に対する各Ｄ−アミノ酸濃度の百分率（％Ｄ／ｔｏｔａｌ  Ｌ）を比較した表である。Ｄ−セリン、Ｄ−アロ−スレオニン、Ｄ−アラニン、Ｄ−ロイシン及びＤ−フェニルアラニンはＤ−アミノ酸酸化酵素（ＤＡＯ）野生型マウスよりもＤＡＯ酵素欠損マウスが有意に高かった。図８−１１は、Ｄ−アミノ酸酸化酵素（ＤＡＯ）野生型マウス３匹（ＤＡＯ＋／＋  １、ＤＡＯ＋／＋  ２及びＤＡＯ＋／＋  ３）と、Ｄ−アミノ酸酸化酵素（ＤＡＯ）欠損マウス３匹（ＤＡＯ−／−  １、ＤＡＯ−／−  ２及びＤＡＯ−／−  ３）と尿中の全Ｄ−アミノ酸の濃度の和に対する各Ｄ−アミノ酸濃度の百分率（％Ｄ／ｔｏｔａｌ  Ｄ）を比較した表である。図８−１２は、Ｄ−アミノ酸酸化酵素（ＤＡＯ）野生型マウス３匹（ＤＡＯ＋／＋  １、ＤＡＯ＋／＋  ２及びＤＡＯ＋／＋  ３）と、Ｄ−アミノ酸酸化酵素（ＤＡＯ）欠損マウス３匹（ＤＡＯ−／−  １、ＤＡＯ−／−  ２及びＤＡＯ−／−  ３）と尿中のＤ−アスパラギン濃度に対する各Ｄ−アミノ酸濃度の百分率（％Ｄ／Ｄ−Ａｓｎ）を比較した表である。Ｄ−セリン、Ｄ−アロ−スレオニン、Ｄ−アラニン、Ｄ−プロリン、Ｄ−ロイシン及びＤ−フェニルアラニンはＤ−アミノ酸酸化酵素（ＤＡＯ）野生型マウスよりもＤＡＯ酵素欠損マウスが有意に高かった。
【００６４】
２．６  Ｄ−アスパラギン酸酸化酵素（ＤＤＯ）欠損マウス
図９−１、９−２、９−３及び９−４は、それぞれ、Ｄ−アスパラギン酸酸化酵素（ＤＤＯ）野生型マウス（ＤＤＯ＋）個体４匹のうち１匹目、２匹目、３匹目及び４匹目の尿中全アミノ酸光学異性体含量分析結果を示す波形図である。図９−５、９−６、９−７及び９−８は、それぞれ、Ｄ−アスパラギン酸酸化酵素（ＤＤＯ）欠損マウス（ＤＤＯ−）個体４匹のうち１匹目、２匹目、３匹目及び４匹目の尿中全アミノ酸光学異性体含量分析結果を示す波形図である。ＤＤＯ欠損マウスの尿中には野生型マウスの尿中よりＤ−アスパラギン濃度が高く、Ｄ−アスパラギン酸及びＤ−アルギニンの濃度も高いことが示された。ＤＤＯ酵素の良好な基質であるＤ−グルタミン酸は、ＤＤＯ欠損マウスの尿中にはほとんど認められなかった。
【００６５】
以上の２．５及び２．６の結果から、Ｄ−アミノ酸代謝酵素であるＤＡＯ及びＤＤＯの欠損によりそれぞれ、特異的なＤ−アミノ酸の濃度が変化した。すなわち、これらの酵素活性を制御することにより、特異的なＤ−アミノ酸の濃度を制御することができると考えられる。
【００６６】
２．７  フェニルケトン尿症疾患モデルマウス
図１０−１は、フェニルケトン尿症疾患モデルマウス（フェニルアラニン水酸化酵素（ＰＡＨ）突然変異マウス、Ｐａｈ ｅｎｕ２ ／Ｐａｈ ｅｎｕ２ 、黒塗り）及び対照マウス（白塗り）各５匹の血漿中のＤ−バリン濃度（ナノモル／ｍＬ）及び標準誤差を表す棒グラフである。図１０−２は、フェニルケトン尿症疾患モデルマウス（フェニルアラニン水酸化酵素（ＰＡＨ）突然変異マウス、Ｐａｈ ｅｎｕ２ ／Ｐａｈ ｅｎｕ２ 、黒塗り）及び対照マウス（白塗り）各５匹の血漿中のＤ−アロ−イソロイシン濃度（ナノモル／ｍＬ）及び標準誤差を表す棒グラフである。図１０−３は、フェニルケトン尿症疾患モデルマウス（フェニルアラニン水酸化酵素（ＰＡＨ）突然変異マウス、Ｐａｈ ｅｎｕ２ ／Ｐａｈ ｅｎｕ２ 、黒塗り）及び対照マウス（白塗り）各５匹の血漿中のＤ−イソロイシン濃度（ナノモル／ｍＬ）及び標準誤差を表す棒グラフである。図１０−４は、フェニルケトン尿症疾患モデルマウス（フェニルアラニン水酸化酵素（ＰＡＨ）突然変異マウス、Ｐａｈ ｅｎｕ２／Ｐａｈ ｅｎｕ２ 、黒塗り）及び対照マウス（白塗り）各５匹の血漿中のＤ−ロイシン濃度（ナノモル／ｍＬ）及び標準誤差を表す棒グラフである。図１０−５は、フェニルケトン尿症疾患モデルマウス（フェニルアラニン水酸化酵素（ＰＡＨ）突然変異マウス、Ｐａｈ ｅｎｕ２ ／Ｐａｈ ｅｎｕ２ 、黒塗り）及び対照マウス（白塗り）各５匹の血漿中のＤ−フェニルアラニン濃度（ナノモル／ｍＬ）及び標準誤差を表す棒グラフである。Ｄ−フェニルアラニン濃度は対照マウスよりフェニルケトン尿症疾患モデルマウスで高く、有意差は、ｐが０．０１未満であった。図１０−６は、フェニルケトン尿症疾患モデルマウス（フェニルアラニン水酸化酵素（ＰＡＨ）突然変異マウス、Ｐａｈ ｅｎｕ２ ／Ｐａｈ ｅｎｕ２ 、黒塗り）及び対照マウス（白塗り）各５匹の血漿中のＬ−バリン濃度（ナノモル／ｍＬ）及び標準誤差を表す棒グラフである。図１０−７は、フェニルケトン尿症疾患モデルマウス（フェニルアラニン水酸化酵素（ＰＡＨ）突然変異マウス、Ｐａｈ ｅｎｕ２ ／Ｐａｈ ｅｎｕ２ 、黒塗り）及び対照マウス（白塗り）各５匹の血漿中のＬ−アロ−イソロイシン濃度（ナノモル／ｍＬ）及び標準誤差を表す棒グラフである。図１０−８は、フェニルケトン尿症疾患モデルマウス（フェニルアラニン水酸化酵素（ＰＡＨ）突然変異マウス、Ｐａｈ ｅｎｕ２ ／Ｐａｈ ｅｎｕ２ 、黒塗り）及び対照マウス（白塗り）各５匹の血漿中のＬ−イソロイシン濃度（ナノモル／ｍＬ）及び標準誤差を表す棒グラフである。図１０−９は、フェニルケトン尿症疾患モデルマウス（フェニルアラニン水酸化酵素（ＰＡＨ）突然変異マウス、Ｐａｈ ｅｎｕ２ ／Ｐａｈ ｅｎｕ２ 、黒塗り）及び対照マウス（白塗り）各５匹の血漿中のＬ−ロイシン濃度（ナノモル／ｍＬ）及び標準誤差を表す棒グラフである。図１０−１０は、フェニルケトン尿症疾患モデルマウス（フェニルアラニン水酸化酵素（ＰＡＨ）突然変異マウス、Ｐａｈ ｅｎｕ２ ／Ｐａｈ ｅｎｕ２ 、黒塗り）及び対照マウス（白塗り）各５匹の血漿中のＬ−フェニルアラニン濃度（ナノモル／ｍＬ）及び標準誤差を表す棒グラフである。Ｌ−フェニルアラニンの濃度は、対照マウスよりフェニルケトン尿症疾患モデルマウスが高く、有意差は、ｐが０．０１未満であった。
【００６７】
図１０−１１は、フェニルケトン尿症疾患モデルマウス（フェニルアラニン水酸化酵素（ＰＡＨ）突然変異マウス、Ｐａｈ ｅｎｕ２ ／Ｐａｈ ｅｎｕ２ 、黒塗り）及び対照マウス（白塗り）各５匹の尿中のＤ−バリン濃度（ナノモル／ｍＬ）及び標準誤差を表す棒グラフである。図１０−１２は、フェニルケトン尿症疾患モデルマウス（フェニルアラニン水酸化酵素（ＰＡＨ）突然変異マウス、Ｐａｈ ｅｎｕ２ ／Ｐａｈ ｅｎｕ２ 、黒塗り）及び対照マウス（白塗り）各５匹の尿中のＤ−アロ−イソロイシン濃度（ナノモル／ｍＬ）及び標準誤差を表す棒グラフである。図１０−１３は、フェニルケトン尿症疾患モデルマウス（フェニルアラニン水酸化酵素（ＰＡＨ）突然変異マウス、Ｐａｈ ｅｎｕ２ ／Ｐａｈ ｅｎｕ２ 、黒塗り）及び対照マウス（白塗り）各５匹の尿中のＤ−イソロイシン濃度（ナノモル／ｍＬ）及び標準誤差を表す棒グラフである。図１０−１４は、フェニルケトン尿症疾患モデルマウス（フェニルアラニン水酸化酵素（ＰＡＨ）突然変異マウス、Ｐａｈ ｅｎｕ２ ／Ｐａｈ ｅｎｕ２ 、黒塗り）及び対照マウス（白塗り）各５匹の尿中のＤ−ロイシン濃度（ナノモル／ｍＬ）及び標準誤差を表す棒グラフである。図１０−１５は、フェニルケトン尿症疾患モデルマウス（フェニルアラニン水酸化酵素（ＰＡＨ）突然変異マウス、Ｐａｈ ｅｎｕ２ ／Ｐａｈ ｅｎｕ２ 、黒塗り）及び対照マウス（白塗り）各５匹の尿中のＤ−フェニルアラニン濃度（ナノモル／ｍＬ）及び標準誤差を表す棒グラフである。図１０−１６は、フェニルケトン尿症疾患モデルマウス（フェニルアラニン水酸化酵素（ＰＡＨ）突然変異マウス、Ｐａｈ ｅｎｕ２ ／Ｐａｈ ｅｎｕ２ 、黒塗り）及び対照マウス（白塗り）各５匹の尿中のＬ−バリン濃度（ナノモル／ｍＬ）及び標準誤差を表す棒グラフである。図１０−１７は、フェニルケトン尿症疾患モデルマウス（フェニルアラニン水酸化酵素（ＰＡＨ）突然変異マウス、Ｐａｈ ｅｎｕ２ ／Ｐａｈ ｅｎｕ２ 、黒塗り）及び対照マウス（白塗り）各５匹の尿中のＬ−アロ−イソロイシン濃度（ナノモル／ｍＬ）及び標準誤差を表す棒グラフである。図１０−１８は、フェニルケトン尿症疾患モデルマウス（フェニルアラニン水酸化酵素（ＰＡＨ）突然変異マウス、Ｐａｈ ｅｎｕ２ ／Ｐａｈ ｅｎｕ２ 、黒塗り）及び対照マウス（白塗り）各５匹の尿中のＬ−イソロイシン濃度（ナノモル／ｍＬ）及び標準誤差を表す棒グラフである。図１０−１９は、フェニルケトン尿症疾患モデルマウス（フェニルアラニン水酸化酵素（ＰＡＨ）突然変異マウス、Ｐａｈ ｅｎｕ２ ／Ｐａｈｅｎｕ２ 、黒塗り）及び対照マウス（白塗り）各５匹の尿中のＬ−ロイシン濃度（ナノモル／ｍＬ）及び標準誤差を表す棒グラフである。図１０−２０は、フェニルケトン尿症疾患モデルマウス（フェニルアラニン水酸化酵素（ＰＡＨ）突然変異マウス、Ｐａｈ ｅｎｕ２ ／Ｐａｈ ｅｎｕ２ 、黒塗り）及び対照マウス（白塗り）各５匹の尿中のＬ−フェニルアラニン濃度（ナノモル／ｍＬ）及び標準誤差を表す棒グラフである。Ｌ−フェニルアラニン濃度は、対照マウスよりフェニルケトン尿症疾患モデルマウスで高く、有意差は、ｐが０．０１未満であった。
【００６８】
２．８  メープルシロップ尿症疾患モデルマウス
図１１−１は、メープルシロップ尿症マウス（分岐鎖アルファ−ケト酸脱水素酵素（ＢＣＫＤＨ）突然変異マウス、Ｄｂｔ ｔｍ１Ｇｅｈ ／Ｄｂｔ ｔｍ１Ｇｅｈ 、黒塗り）及び対照マウス（白塗り）各５匹の血漿中のＤ−バリン濃度（ナノモル／ｍＬ）及び標準誤差を表す棒グラフである。図１１−２は、メープルシロップ尿症マウス（分岐鎖アルファ−ケト酸脱水素酵素（ＢＣＫＤＨ）突然変異マウス、Ｄｂｔ ｔｍ１Ｇｅｈ ／Ｄｂｔ ｔｍ１Ｇｅｈ 、黒塗り）及び対照マウス（白塗り）各５匹の血漿中のＤ−アロ−イソロイシン濃度（ナノモル／ｍＬ）及び標準誤差を表す棒グラフである。図１１−３は、メープルシロップ尿症マウス（分岐鎖アルファ−ケト酸脱水素酵素（ＢＣＫＤＨ）突然変異マウス、Ｄｂｔｔｍ１Ｇｅｈ ／Ｄｂｔ ｔｍ１Ｇｅｈ 、黒塗り）及び対照マウス（白塗り）各５匹の血漿中のＤ−イソロイシン濃度（ナノモル／ｍＬ）及び標準誤差を表す棒グラフである。血漿中のＤ−イソロイシン濃度は、メープルシロップ尿症マウスで対照マウスより高く、有意差は、ｐが０．０５未満であった。図１１−４は、メープルシロップ尿症マウス（分岐鎖アルファ−ケト酸脱水素酵素（ＢＣＫＤＨ）突然変異マウス、Ｄｂｔ ｔｍ１Ｇｅｈ ／Ｄｂｔｔｍ１Ｇｅｈ 、黒塗り）及び対照マウス（白塗り）各５匹の血漿中のＤ−ロイシン濃度（ナノモル／ｍＬ）及び標準誤差を表す棒グラフである。図１１−５は、メープルシロップ尿症マウス（分岐鎖アルファ−ケト酸脱水素酵素（ＢＣＫＤＨ）突然変異マウス、Ｄｂｔｔｍ１Ｇｅｈ ／Ｄｂｔ ｔｍ１Ｇｅｈ 、黒塗り）及び対照マウス（白塗り）各５匹の血漿中のＤ−フェニルアラニン濃度（ナノモル／ｍＬ）及び標準誤差を表す棒グラフである。図１１−６は、メープルシロップ尿症マウス（分岐鎖アルファ−ケト酸脱水素酵素（ＢＣＫＤＨ）突然変異マウス、Ｄｂｔ ｔｍ１Ｇｅｈ ／Ｄｂｔ ｔｍ１Ｇｅｈ 、黒塗り）及び対照マウス（白塗り）各５匹の血漿中のＬ−バリン濃度（ナノモル／ｍＬ）及び標準誤差を表す棒グラフである。血漿中のＬ−バリン濃度は、メープルシロップ尿症マウスのほうが対照マウスより高く、有意差は、ｐが０．０１未満である。図１１−７は、メープルシロップ尿症マウス（分岐鎖アルファ−ケト酸脱水素酵素（ＢＣＫＤＨ）突然変異マウス、Ｄｂｔｔｍ１Ｇｅｈ ／Ｄｂｔ ｔｍ１Ｇｅｈ 、黒塗り）及び対照マウス（白塗り）各５匹の血漿中のＬ−アロ−イソロイシン濃度（ナノモル／ｍＬ）及び標準誤差を表す棒グラフである。血漿中のＬ−アロ−イソロイシン濃度はメープルシロップ尿症マウスのほうが対照マウスより高く、有意差は、ｐが０．０１未満であった。図１１−８は、メープルシロップ尿症マウス（分岐鎖アルファ−ケト酸脱水素酵素（ＢＣＫＤＨ）突然変異マウス、Ｄｂｔ ｔｍ１Ｇｅｈ ／Ｄｂｔ ｔｍ１Ｇｅｈ 、黒塗り）及び対照マウス（白塗り）各５匹の血漿中のＬ−イソロイシン濃度（ナノモル／ｍＬ）及び標準誤差を表す棒グラフである。血漿中のＬ−イソロイシン濃度は、メープルシロップ尿症マウスのほうが対照マウスより高く、有意差は、ｐが０．０１未満であった。図１１−９は、メープルシロップ尿症マウス（分岐鎖アルファ−ケト酸脱水素酵素（ＢＣＫＤＨ）突然変異マウス、Ｄｂｔ ｔｍ１Ｇｅ��� ／Ｄｂｔ ｔｍ１Ｇｅｈ 、黒塗り）及び対照マウス（白塗り）各５匹の血漿中のＬ−ロイシン濃度（ナノモル／ｍＬ）及び標準誤差を表す棒グラフである。血漿中のＬ−ロイシン濃度は、メープルシロップ尿症マウスのほうが対照マウスより高く、有意差は、ｐが０．０５未満であった。図１１−１０は、メープルシロップ尿症マウス（分岐鎖アルファ−ケト酸脱水素酵素（ＢＣＫＤＨ）突然変異マウス、Ｄｂｔ ｔｍ１Ｇｅｈ ／Ｄｂｔ ｔｍ１Ｇｅｈ 、黒塗り）及び対照マウス（白塗り）各５匹の血漿中のＬ−フェニルアラニン濃度（ナノモル／ｍＬ）及び標準誤差を表す棒グラフである。図１１−１１は、メープルシロップ尿症マウス中間型（分岐鎖アルファ−ケト酸脱水素酵素（ＢＣＫＤＨ）突然変異マウス、＋／Ｄｂｔ ｔｍ１Ｇｅｈ 、灰色塗り）及び対照マウス（白塗り）各５匹の血漿中のＤ−イソロイシン濃度（ナノモル／ｍＬ）及び標準誤差を表す棒グラフである。血漿中のＤ−イソロイシン濃度は、メープルシロップ尿症マウスのほうが対照マウスより高く、有意差は、ｐが０．０１未満であった。図１１−１２は、メープルシロップ尿症マウス中間型（分岐鎖アルファ−ケト酸脱水素酵素（ＢＣＫＤＨ）突然変異マウス、＋／Ｄｂｔ ｔｍ１Ｇｅｈ 、灰色塗り）及び対照マウス（白塗り）各５匹の血漿中のＬ−バリン濃度（ナノモル／ｍＬ）及び標準誤差を表す棒グラフである。図１１−１３は、メープルシロップ尿症マウス中間型（分岐鎖アルファ−ケト酸脱水素酵素（ＢＣＫＤＨ）突然変異マウス、＋／Ｄｂｔ ｔｍ１Ｇｅｈ 、灰色塗り）及び対照マウス（白塗り）各５匹の血漿中のＬ−アロ−イソロイシン濃度（ナノモル／ｍＬ）及び標準誤差を表す棒グラフである。図１１−１４は、メープルシロップ尿症マウス中間型（分岐鎖アルファ−ケト酸脱水素酵素（ＢＣＫＤＨ）突然変異マウス、＋／Ｄｂｔ ｔｍ１Ｇｅｈ 、灰色塗り）及び対照マウス（白塗り）各５匹の血漿中のＬ−イソロイシン濃度（ナノモル／ｍＬ）及び標準誤差を表す棒グラフである。図１１−１５は、メープルシロップ尿症マウス中間型（分岐鎖アルファ−ケト酸脱水素酵素（ＢＣＫＤＨ）突然変異マウス、＋／Ｄｂｔ ｔｍ１Ｇｅｈ 、灰色塗り）及び対照マウス（白塗り）各５匹の血漿中のＬ−ロイシン濃度（ナノモル／ｍＬ）及び標準誤差を表す棒グラフである。
【００６９】
図１２−１は、メープルシロップ尿症マウス（分岐鎖アルファ−ケト酸脱水素酵素（ＢＣＫＤＨ）突然変異マウス、Ｄｂｔ ｔｍ１Ｇｅｈ ／Ｄｂｔ ｔｍ１Ｇｅｈ 、黒塗り）及び対照マウス（白塗り）各５匹の尿中のＤ−バリン濃度（ナノモル／ｍＬ）及び標準誤差を表す棒グラフである。図１２−２は、メープルシロップ尿症マウス（分岐鎖アルファ−ケト酸脱水素酵素（ＢＣＫＤＨ）突然変異マウス、Ｄｂｔ ｔｍ１Ｇｅｈ ／Ｄｂｔ ｔｍ１Ｇｅｈ、黒塗り）及び対照マウス（白塗り）各５匹の尿中のＤ−アロ−イソロイシン濃度（ナノモル／ｍＬ）及び標準誤差を表す棒グラフである。図１２−３は、メープルシロップ尿症マウス（分岐鎖アルファ−ケト酸脱水素酵素（ＢＣＫＤＨ）突然変異マウス、Ｄｂｔ ｔｍ１Ｇｅｈ ／Ｄｂｔ ｔｍ１Ｇｅｈ 、黒塗り）及び対照マウス（白塗り）各５匹の尿中のＤ−イソロイシン濃度（ナノモル／ｍＬ）及び標準誤差を表す棒グラフである。尿中のＤ−イソロイシン濃度は対照マウスよりメープルシロップ尿症マウスで高く、有意差は、ｐが０．０５未満であった。図１２−４は、メープルシロップ尿症マウス（分岐鎖アルファ−ケト酸脱水素酵素（ＢＣＫＤＨ）突然変異マウス、Ｄｂｔ ｔｍ１Ｇｅｈ ／Ｄｂｔ ｔｍ１Ｇｅｈ 、黒塗り）及び対照マウス（白塗り）各５匹の尿中のＤ−ロイシン濃度（ナノモル／ｍＬ）及び標準誤差を表す棒グラフである。図１２−５は、メープルシロップ尿症マウス（分岐鎖アルファ−ケト酸脱水素酵素（ＢＣＫＤＨ）突然変異マウス、Ｄｂｔ ｔｍ１Ｇｅｈ／Ｄｂｔ ｔｍ１Ｇｅｈ 、黒塗り）及び対照マウス（白塗り）各５匹の尿中のＤ−フェニルアラニン濃度（ナノモル／ｍＬ）及び標準誤差を表す棒グラフである。図１２−６は、メープルシロップ尿症マウス（分岐鎖アルファ−ケト酸脱水素酵素（ＢＣＫＤＨ）突然変異マウス、Ｄｂｔ ｔｍ１Ｇｅｈ ／Ｄｂｔ ｔｍ１Ｇｅｈ 、黒塗り）及び対照マウス（白塗り）各５匹の尿中のＬ−バリン濃度（ナノモル／ｍＬ）及び標準誤差を表す棒グラフである。尿中のＬ−バリン濃度は対照マウスよりメープルシロップ尿症マウスで高く、有意差は、ｐが０．０１未満であった。図１２−７は、メープルシロップ尿症マウス（分岐鎖アルファ−ケト酸脱水素酵素（ＢＣＫＤＨ）突然変異マウス、Ｄｂｔ ｔｍ１Ｇｅｈ ／Ｄｂｔ ｔｍ１Ｇｅｈ 、黒塗り）及び対照マウス（白塗り）各５匹の尿中のＬ−アロ−イソロイシン濃度（ナノモル／ｍＬ）及び標準誤差を表す棒グラフである。尿中のＬ−アロ−イソロイシン濃度は、対照マウスよりメープルシロップ尿症マウスで高く、有意差は、ｐが０．０１未満であった。図１２−８は、メープルシロップ尿症マウス（分岐鎖アルファ−ケト酸脱水素酵素（ＢＣＫＤＨ）突然変異マウス、Ｄｂｔ ｔｍ１Ｇｅｈ ／Ｄｂｔ ｔｍ１Ｇｅｈ 、黒塗り）及び対照マウス（白塗り）各５匹の尿中のＬ−イソロイシン濃度（ナノモル／ｍＬ）及び標準誤差を表す棒グラフである。尿中のＬ−イソロイシン濃度は対照マウスよりメープルシロップ尿症マウスで高く、有意差は、ｐが０．０５未満であった。図１２−９は、メープルシロップ尿症マウス（分岐鎖アルファ−ケト酸脱水素酵素（ＢＣＫＤＨ）突然変異マウス、Ｄｂｔ ｔｍ１Ｇｅｈ ／Ｄｂｔ ｔｍ１Ｇｅｈ 、黒塗り）及び対照��ウス（白塗り）各５匹の尿中のＬ−ロイシン濃度（ナノモル／ｍＬ）及び標準誤差を表す棒グラフである。尿中のＬ−ロイシン濃度は対照マウスよりメープルシロップ尿症マウスで高く、有意差は、ｐが０．０１未満であった。図１２−１１は、メープルシロップ尿症マウス中間型（分岐鎖アルファ−ケト酸脱水素酵素（ＢＣＫＤＨ）突然変異マウス、＋／Ｄｂｔ ｔｍ１Ｇｅｈ 、灰色塗り）及び対照マウス（白塗り）各５匹の尿中のＤ−イソロイシン濃度（ナノモル／ｍＬ）及び標準誤差を表す棒グラフである。尿中のＤ−イソロイシン濃度は対照マウスよりメープルシロップ尿症マウス中間型で高く、有意差は、ｐが０．０５未満であった。図１２−１２は、メープルシロップ尿症マウス中間型（分岐鎖アルファ−ケト酸脱水素酵素（ＢＣＫＤＨ）突然変異マウス、＋／Ｄｂｔ ｔｍ１Ｇｅｈ 、灰色塗り）及び対照マウス（白塗り）各５匹の尿中のＬ−バリン濃度（ナノモル／ｍＬ）及び標準誤差を表す棒グラフである。図１２−１３は、メープルシロップ尿症マウス中間型（分岐鎖アルファ−ケト酸脱水素酵素（ＢＣＫＤＨ）突然変異マウス、＋／Ｄｂｔ ｔｍ１Ｇｅｈ 、灰色塗り）及び対照マウス（白塗り）各５匹の尿中のＬ−アロ−イソロイシン濃度（ナノモル／ｍＬ）及び標準誤差を表す棒グラフである。図１２−１４は、メープルシロップ尿症マウス中間型（分岐鎖アルファ−ケト酸脱水素酵素（ＢＣＫＤＨ）突然変異マウス、＋／Ｄｂｔ ｔｍ１Ｇｅｈ 、灰色塗り）及び対照マウス（白塗り）各５匹の尿中のＬ−イソロイシン濃度（ナノモル／ｍＬ）及び標準誤差を表す棒グラフである。図１２−１５は、メープルシロップ尿症マウス中間型（分岐鎖アルファ−ケト酸脱水素酵素（ＢＣＫＤＨ）突然変異マウス、＋／Ｄｂｔ ｔｍ１Ｇｅｈ 、灰色塗り）及び対照マウス（白塗り）各５匹の尿中のＬ−ロイシン濃度（ナノモル／ｍＬ）及び標準誤差を表す棒グラフである。
【実施例３】
【００７０】
各種疾患患者由来のサンプルのアミノ酸立体異性体の全分析（２）１．材料と方法
（１）サンプル
実施例１と同様に、各種疾患由来の血清サンプルは、米国バイオサーブ社（ＢｉｏＳｅｒｖｅ  Ｂｉｏｔｅｃｈｎｏｌｏｇｉｅｓ，  Ｌｔｄ、米国、メリーランド州、Ｂｅｌｔｓｖｉｌｌｅ）から入手された。前記サンプルは、現在バイオサーブ社に買収されたＧｅｎｏｍｉｃＣｏｌｌａｂｏｒａｔｉｖｅ  Ｉｎｃ．社によって採取された。採血は患者の医師による管理の下で行われ、米国の医療保険の相互運用性及び説明責任に関する法律（ＨＩＰＡＡ）に沿った書類による採血者の同意が確認済みである。関節リウマチサンプルは、多少可動な疾患状態の４９才の白人男性由来であった。腎臓がんサンプルは、ステージＩの４７才のベトナム人男性由来であった。肺がんサンプルは、ステージＩの６５才のベトナム人男性由来であった。心血管疾患サンプルは、４３才の白人男性由来であった。多発性硬化症サンプルは、再発寛解型の３３才の白人男性由来であった。急性骨髄性白血病サンプルは、１６才男性由来であった。リンパ腫サンプルは、４９才ベトナム人女性由来であった。乾癬サンプルは、４０才の白人男性由来であった。糖尿病サンプルは、５０才白人男性由来であった。全身性エリテマトーテスサンプルは３８才白人女性由来であった。
【００７１】
（２）アミノ酸立体異性体の全分析
前記サンプルのアミノ酸立体異性体の全分析は実施例１と同様に実施された。
【００７２】
２．結果
実施例３の疾患サンプルの解析結果のうちＤ−アミノ酸については図１３−１に、Ｌ−アミノ酸については図１３−２にそれぞれ分析結果をまとめた。実施例１と同様に、表の各行はサンプル提供者の疾患名を表し、各列は分析されたＤ−アミノ酸の種類を表す。表の中でＮＤは検出限界以下であったことを表す。上向き矢印はこのサンプルでは健常男性のサンプルよりアミノ酸量が高いことを表し、下向き矢印は健常男性のサンプルよりこのサンプルのアミノ酸量が低いことを表す。細かい右上がりのハッチングは、これらのサンプルのアミノ酸量の前記健常男性のサンプルのアミノ酸量に対する割合が２倍以上（上向き矢印）か、あるいは、１／２以下（下向き矢印）かを表す。粗い左上がりのハッチングは、これらのサンプルのアミノ酸量の前記健常男性のサンプルのアミノ酸量に対する割合が２倍未満（上向き矢印）か、あるいは、１／２未満（下向き矢印）かを表す。関節リウマチでは、Ｌ−グルタミン酸は対照の健常男性サンプルより血清濃度が上がったが、Ｌ−グルタミン及びＬ−システインは下がった。腎臓がんでは、Ｄ−セリンは健常男性サンプルより血清濃度が上がったが、Ｄ−アラニンは血清濃度が下がった。肺がんでは、Ｄ−アラニンの血清濃度が健常男性サンプルより下がった。心血管疾患では、Ｌ−アルギニンの血清濃度が健常男性サンプルより下がったが、Ｌ−グルタミン酸は上がった。多発性硬化症では、Ｄ−セリンの血清濃度が健常男性サンプルより上がったが、Ｌ−システインの血清濃度は下がった。急性骨髄性白血病では、Ｌ−システインの血清濃度は健常男性サンプルより下がった。リンパ腫では、Ｌ−システインの血清濃度は健常男性サンプルより下がった。急性リンパ性白血病では、Ｌ−グルタミン酸の血清濃度は健常男性サンプルより上がったが、Ｌ−システイン濃度は下がった。乾癬では、Ｌ−アルギニン及びＬ−システインの血清濃度は健常男性サンプルより下がった。糖尿病では、Ｄ−アラニン及びＬ−システインの血清濃度は健常男性サンプルより下がったが、Ｌ−グルタミン酸の血清濃度は上がった。なお、全身性エリテマトーテスでは、変化が認められなかった。
【００７３】
従来のアミノ酸定量分析では、立体異性体が区別できないので、各アミノ酸はそのすべての立体異性体の和として定量されてきた。しかし本発明の診断方法では、立体異性体をそれぞれ別の物質として区別して定量できる。図３−１ないし図３−３に示されるように、Ｄ−体の量をＤ−体及びＬ−体の量の和の百分率（％Ｄ）で表現すると、大腸がん患者のＤ−セリン量（図２−１）と比較して大腸がん患者のセリンの％Ｄ（図３−１）はばらつきが少なくなる。同様に、腎臓病患者のＤ−アラニン量（図２−５）と比較して腎臓病患者のアラニンの％Ｄ（図３−３）はばらつきが少なくなる。これは、Ｄ−アミノ酸量は疾患と相関するとともに、ラセミ化を通じてＬ−体量との相関がありうるので、Ｄ−体及びＬ−体の和で正規化することでＬ−体量の変動の影響を除外することができることが理由として考えられる。このように、疾患と相関性のあるＤ−アミノ酸の量が他の物質の量とも相関性が認められることがある。ここで該他の物質の量そのものは前記疾患との相関性はない場合には、前記Ｄ−アミノ酸の量を前記他の物質の量で正規化するパラメーター（例えば％Ｄ）を作成することでより診断特性を向上させることができる。
【００７４】
今後多数の疾患についてＤ−アミノ酸量との相関関係の研究が大規模に展開される。これによりさらに多くの疾患でＤ−アミノ酸量に基づく診断技術の開発が期待される。
【図１】
0006391787.tif 000002
【図２−１】
0006391787.tif 000003
【図２−２】
0006391787.tif 000004
【図２−３】
0006391787.tif 000005
【図２−４】
0006391787.tif 000006
【図２−５】
0006391787.tif 000007
【図２−６】
0006391787.tif 000008
【図３−１】
0006391787.tif 000009
【図３−２】
0006391787.tif 000010
【図３−３】
0006391787.tif 000011
【図４−１】
0006391787.tif 000012
【図４−２】
0006391787.tif 000013
【図４−３】
0006391787.tif 000014
【図４−４】
0006391787.tif 000015
【図４−５】
0006391787.tif 000016
【図４−６】
0006391787.tif 000017
【図４−７】
0006391787.tif 000018
【図４−８】
0006391787.tif 000019
【図４−９】
0006391787.tif 000020
【図４−１０】
0006391787.tif 000021
【図４−１１】
0006391787.tif 000022
【図４−１２】
0006391787.tif 000023
【図４−１３】
0006391787.tif 000024
【図４−１４】
0006391787.tif 000025
【図４−１５】
0006391787.tif 000026
【図４−１６】
0006391787.tif 000027
【図５−１】
0006391787.tif 000028
【図５−２】
0006391787.tif 000029
【図５−３】
0006391787.tif 000030
【図５−４】
0006391787.tif 000031
【図５−５】
0006391787.tif 000032
【図５−６】
0006391787.tif 000033
【図５−７】
0006391787.tif 000034
【図５−８】
0006391787.tif 000035
【図５−９】
0006391787.tif 000036
【図５−１０】
0006391787.tif 000037
【図５−１１】
0006391787.tif 000038
【図５−１２】
0006391787.tif 000039
【図５−１３】
0006391787.tif 000040
【図５−１４】
0006391787.tif 000041
【図６−１】
0006391787.tif 000042
【図６−２】
0006391787.tif 000043
【図６−３】
0006391787.tif 000044
【図６−４】
0006391787.tif 000045
【図６−５】
0006391787.tif 000046
【図６−６】
0006391787.tif 000047
【図６−７】
0006391787.tif 000048
【図６−８】
0006391787.tif 000049
【図６−９】
0006391787.tif 000050
【図６−１０】
0006391787.tif 000051
【図６−１１】
0006391787.tif 000052
【図６−１２】
0006391787.tif 000053
【図７−１】
0006391787.tif 000054
【図７−２】
0006391787.tif 000055
【図７−３】
0006391787.tif 000056
【図７−４】
0006391787.tif 000057
【図７−５】
0006391787.tif 000058
【図７−６】
0006391787.tif 000059
【図７−７】
0006391787.tif 000060
【図７−８】
0006391787.tif 000061
【図７−９】
0006391787.tif 000062
【図７−１０】
0006391787.tif 000063
【図７−１１】
0006391787.tif 000064
【図７−１２】
0006391787.tif 000065
【図７−１３】
0006391787.tif 000066
【図７−１４】
0006391787.tif 000067
【図７−１５】
0006391787.tif 000068
【図７−１６】
0006391787.tif 000069
【図８−１】
0006391787.tif 000070
【図８−２】
0006391787.tif 000071
【図８−３】
0006391787.tif 000072
【図８−４】
0006391787.tif 000073
【図８−５】
0006391787.tif 000074
【図８−６】
0006391787.tif 000075
【図８−７】
0006391787.tif 000076
【図８−８】
0006391787.tif 000077
【図８−９】
0006391787.tif 000078
【図８−１０】
0006391787.tif 000079
【図８−１１】
0006391787.tif 000080
【図８−１２】
0006391787.tif 000081
【図９−１】
0006391787.tif 000082
【図９−２】
0006391787.tif 000083
【図９−３】
0006391787.tif 000084
【図９−４】
0006391787.tif 000085
【図９−５】
0006391787.tif 000086
【図９−６】
0006391787.tif 000087
【図９−７】
0006391787.tif 000088
【図９−８】
0006391787.tif 000089
【図１０−１】
0006391787.tif 000090
【図１０−２】
0006391787.tif 000091
【図１０−３】
0006391787.tif 000092
【図１０−４】
0006391787.tif 000093
【図１０−５】
0006391787.tif 000094
【図１０−６】
0006391787.tif 000095
【図１０−７】
0006391787.tif 000096
【図１０−８】
0006391787.tif 000097
【図１０−９】
0006391787.tif 000098
【図１０−１０】
0006391787.tif 000099
【図１０−１１】
0006391787.tif 000100
【図１０−１２】
0006391787.tif 000101
【図１０−１３】
0006391787.tif 000102
【図１０−１４】
0006391787.tif 000103
【図１０−１５】
0006391787.tif 000104
【図１０−１６】
0006391787.tif 000105
【図１０−１７】
0006391787.tif 000106
【図１０−１８】
0006391787.tif 000107
【図１０−１９】
0006391787.tif 000108
【図１０−２０】
0006391787.tif 000109
【図１１−１】
0006391787.tif 000110
【図１１−２】
0006391787.tif 000111
【図１１−３】
0006391787.tif 000112
【図１１−４】
0006391787.tif 000113
【図１１−５】
0006391787.tif 000114
【図１１−６】
0006391787.tif 000115
【図１１−７】
0006391787.tif 000116
【図１１−８】
0006391787.tif 000117
【図１１−９】
0006391787.tif 000118
【図１１−１０】
0006391787.tif 000119
【図１１−１１】
0006391787.tif 000120
【図１１−１２】
0006391787.tif 000121
【図１１−１３】
0006391787.tif 000122
【図１１−１４】
0006391787.tif 000123
【図１１−１５】
0006391787.tif 000124
【図１２−１】
0006391787.tif 000125
【図１２−２】
0006391787.tif 000126
【図１２−３】
0006391787.tif 000127
【図１２−４】
0006391787.tif 000128
【図１２−５】
0006391787.tif 000129
【図１２−６】
0006391787.tif 000130
【図１２−７】
0006391787.tif 000131
【図１２−８】
0006391787.tif 000132
【図１２−９】
0006391787.tif 000133
【図１２−１０】
0006391787.tif 000134
【図１２−１１】
0006391787.tif 000135
【図１２−１２】
0006391787.tif 000136
【図１２−１３】
0006391787.tif 000137
【図１２−１４】
0006391787.tif 000138
【図１２−１５】
0006391787.tif 000139
【図１３−１】
0006391787.tif 000140
【図１３−２】
0006391787.tif 000141